(57)【要約】安全注射器（１００；  ７００；  １２００）であって、その終端で開口部を有する胴部（１０４；  ７０４；  １２０４）、前記胴部内に移動するように構成された注射器プランジャー（１０８；  ７０８；  １２０８）であって、これによって、前記注射器プランジャーの内方ストロークによって、前記胴部内の開口部から胴部内の物質を出させる注射器プランジャー（１０８；  ７０８；  １２０８）、および、前記注射器の使用後に前記胴部の開口部を少なくとも部分的に覆うように構成されたシース（１１２；  ７１２；  １２１２）を含み、前記シースは前記注射器プランジャーに結合され、内方ストローク上の点での注射器プランジャーから分断するように構成され、これによって、前記シースが前記注射器プランジャーと無関係に移動可能であり、分断した後に、前記シースの更なる移動が前記胴部の開口部を少なくとも部分的に覆う。【選択図】図１
2017523821.tif 000002
【特許請求の範囲】
【請求項１】
安全注射器であって、
その終端で開口部を有する胴部、
前記開口部から前記胴部内の物質を出すために前記胴部内に移動するように構成された注射器プランジャー、
前記注射器プランジャーと結合された安全プランジャーであって、これによって該安全プランジャーの内方ストロークが前記胴部内に前記注射器プランジャーを移動させる安全プランジャー、および
前記安全注射器の使用後に前記胴部の開口部を少なくとも部分的に覆うように構成されたシース、とを含み、
前記安全プランジャーは前記内方ストローク上の第１の点でシースと結合するように構成され、内方ストローク上の第２の点で前記安全プランジャーが注射器プランジャーと無関係となるように移動可能に前記注射器プランジャーから分断するように構成され、
前記安全プランジャーの内方ストローク上の第１及び第２の点の後の更なる移動が、前記胴部の開口部をシースに少なくとも部分的に覆わせてなる、安全注射器。
【請求項２】
前記内方ストローク上の第１の点は内方ストローク上の最外点であり、
これによって、内部のストロークの開始時において前記安全プランジャーが前記注射器プランジャーに結合される、請求項１に記載の安全注射器。
【請求項３】
前記シースは、前記安全プランジャーに固定して結合される、請求項２に記載の安全注射器。
【請求項４】
前記内方ストローク上の第１の点は、
前記内方ストローク上の第２の点の前；
前記内方ストローク上の第２の点の後；及び
前記内方ストローク上の第２の点と実質的に同じ位置、のうちの１つである請求項１に記載の安全注射器。
【請求項５】
前記シースは、前記胴部に対してシースを固定するように構成されたシース保持手段を含み、前記胴部に対してシースの移動を可能にするために解放されるように動作可能である、請求項４に記載の安全注射器。
【請求項６】
前記安全プランジャーは内方ストローク上の第三の点で保持機構を解放するように構成される、請求項５に記載の安全注射器。
【請求項７】
結合された構成で前記安全プランジャー及び前記シースをロックするための結合ロック手段を更に含む、請求項４乃至６のいずれかに記載の安全注射器。
【請求項８】
前記安全プランジャーは、その内方ストローク中に前記胴部の外部に沿って移動し、前記シースが、前記胴部の開口部を通る点で、或いはその点の前で注射器プランジャーから分断するように構成されてなる請求項１乃至７のいずれかに記載の安全注射器。
【請求項９】
前記内方ストローク上の第２の点は前記注射器プランジャーが前記胴部の終端に実質的に達した点にある、請求項１乃至８のいずれかに記載の安全注射器。
【請求項１０】
前記安全プランジャーと前記注射器プランジャーを分断するように構成される分断機構をさらに含む、請求項１乃至９のいずれかに記載の安全注射器。
【請求項１１】
前記分断機構は安全プランジャーに対する前記注射器プランジャーの回転下で前記安全プランジャーおよび注射器プランジャーを分断するように構成される、請求項１０に記載の安全注射器。
【請求項１２】
前記分断機構はその内部のストローク上の安全プランジャーに加えられた力を介して前記安全プランジャーと注射器プランジャーを分断するように構成される、請求項１０または１１に記載の安全プランジャー。
【請求項１３】
前記分断機構は、前記安全プランジャーの結合凹部との係合及び解除の間に移動するように構成された注射器プランジャー上の突起を含む、請求項１０至１２のいずれかに記載の安全注射器。
【請求項１４】
前記注射器プランジャーの突起は前記安全プランジャーに対する注射器プランジャーの回転による安全プランジャーの前記結合凹部から解除するように構成される、請求項１３に記載の安全注射器。
【請求項１５】
前記注射器プランジャーの本体は、プランジャーを回転させる反動表面と係合するように構成された回転表面を含み、前記反動表面は前記胴部に対して固定される、請求項１４に記載の安全注射器。
【請求項１６】
前記胴部の開口部を少なくとも部分的に覆う位置でシースをロックするように構成されたロック機構をさらに含む、請求項１乃至１５のいずれかに記載の安全注射器。
【請求項１７】
前記ロック機構は、前記安全プランジャーの突起およびリターン凹部を含み、前記突起は安全プランジャーの内方ストロークの終端でリターン凹部と係合するように構成される、請求項１１乃至１３のいずれかに従属する場合の、請求項１６に記載の安全注射器。
【請求項１８】
前記ロック機構は付勢されたロック機構であり、前記安全注射器は更に付勢部材を含んでおり、該付勢部材は注射器プランジャーの外方への移動および逆回転により突起をリターン凹部へ移動させる付勢力を提供するように構成される、請求項１７に記載の安全注射器。
【請求項１９】
前記付勢部材は弾力的に変形可能な注射器プランジャチップを含み、該注射器プランジャチップは、開口部を含む終端部近位の胴部の内表面を圧縮するように構成される、請求項１８に記載の安全注射器。
【請求項２０】
前記注射器プランジャーの全逆転を防ぐために前記リターン凹部の側方の範囲は結合凹部の側方の範囲未満である、請求項１８または１９に記載の安全注射器。
【請求項２１】
前記安全注射器は、実質的に長手方向のチャネルによって接続している結合凹部およびリターン凹部を含む、ロックチャネルを含み、前記ロックチャネルは付勢されたロック機構の作動中に突起をガイドするように構成される、請求項１８乃至２０のいずれかに記載の安全注射器。
【請求項２２】
前記突起は安全プランジャーの内方ストロークが終わってから実質的に長手方向のチャネルの終端と接触するように構成され、これによって、前記注射器プランジャーの弾力的に変形可能な先端を圧縮する、請求項２１に記載の安全注射器。
【請求項２３】
前記ロック機構は、ロック凹部に入るように構成された突起を含み、前記突起と前記ロック凹部のうちの一方は前記胴部および突起の他方に対して固定され、その結果、前記突起が前記ロック凹部内に位置づけられたとき、前記シースが前記胴部の開口部を少なくとも部分的に覆う位置でロックされるように、前記ロック凹部は前記安全プランジャーあるいは前記シースに位置づけられる、請求項１６乃至２２のいずれかに記載の安全注射器。
【請求項２４】
前記突起は、前記突起と前記ロック凹部の一致の際に前記ロック凹部に付勢されるように、前記突起が前記ロック凹部の方へ付勢されてなる請求項２３に記載の安全注射器。
【請求項２５】
少なくとも安全プランジャーの内方ストロークの一部の間で、前記突起は、前記突起と前記ロック凹部が一致するまで、表面上を乗るように構成され、前記ロック凹部への前記突起の付勢が内方ストローク中に前記安全プランジャーに摩擦力を付与する、請求項２４に記載の安全注射器。
【請求項２６】
前記突起は弾力的に変形可能な叉を含む、請求項２３乃至２５のいずれかに記載の安全注射器。
【請求項２７】
前記内方ストローク上の第２の点の後で前記安全プランジャーの移動速度を制限する、及び／又は制御するための速度制御手段を含む、請求項１乃至２６のいずれかに記載の安全注射器。
【請求項２８】
前記速度制御手段は、前記安全プランジャーに結合され、内方ストローク上の第２の点の後で前記注射器プランジャーと係合するように構成された、速度制限部材を含む、請求項２７に記載の安全注射器。
【請求項２９】
前記速度制限部材は、第１のネジを含み、前記注射器プランジャーは第２のネジを含み、
該第２のネジは内方ストローク上の第２の点の後で前記安全プランジャーの更なる移動での注射器プランジャーを回転させるために、前記第１のネジと係合するように構成される、請求項２８に記載の安全注射器。
【請求項３０】
前記内方ストロークの第１の点から第２の点までに前記注射器プランジャーの回転を妨げるように構成された回転阻止部材をさらに含む、請求項２９に請求項の安全注射器。
【請求項３１】
前記回転阻止部材は、前記注射器プランジャーが、内方ストローク上に沿う第２の点で通過する隙間を含み、前記隙間は第１のキーの特徴を含み、該第１のキーの特徴は、前記注射器プランジャーの第２の特徴に対応させるように構成されてなる、請求項３０に記載の安全注射器。
【請求項３２】
前記注射器プランジャーは、前記第２のキーの特徴が前記第１のキーの特徴から解除し、前記内方ストローク上に沿った第２の点で前記第１のキーの特徴から解除するように構成される、請求項３１に記載の安全注射器。
【請求項３３】
前記注射器プランジャーは、前記内方ストローク上の第２の点で前記隙間を完全に通過するように構成される、請求項３２に記載の安全注射器。
【請求項３４】
前記胴部内で弾力的に変形可能な栓をさらに含む、請求項２９乃至３３のいずれかに記載の安全注射器。
【請求項３５】
前記弾力的に変形可能な栓は前記注射器プランジャーが回転するとき回転するように構成され、前記栓は前記胴部の内径より大きな直径を有し、これにより摩擦力が前記栓および前記注射器プランジャーの回転に抵抗する請求項３４に記載の安全注射器。
【請求項３６】
前記弾力的に変形可能な栓は弾力的に変形可能な前記栓と前記注射器プランジャーの間の相対回転を可能にするように構成され、前記注射器プランジャーと弾力的に変形可能な栓の間の摩擦力は、前記栓および前記注射器プランジャーの回転に抵抗する、請求項３４または３５に記載の安全注射器。
【請求項３７】
前記速度制御手段は、内方ストロークの第２の点の後に変形表面によって変形されるように構成された弾力的に変形可能な速度制御突起を含み、これによって、前記安全プランジャーの更なる移動に抵抗する摩擦力を生成する、請求項２９に記載の安全注射器。
【請求項３８】
前記弾力的に変形可能な速度制御突起は、前記安全注射器の前後軸の方へ放射状に内方に突出し、前記変形表面は前記安全プランジャーに置かれ、前記安全注射器の前後軸から外側に離れて延びるタブを含む、請求項３７に記載の安全注射器。
【請求項３９】
前記安全プランジャーは前記注射器プランジャーのヘッド部を越えて延び、前記安全プランジャーのヘッド部は少なくとも１つのアームを含み、前記安全プランジャーのヘッド部は、前記安全プランジャーの内方ストロークを引き起こすためにユーザーによって力を加えるためのものである、請求項１乃至３８のいずれかに記載の安全注射器。
【請求項４０】
前記注射器プランジャーのヘッド部と前記安全プランジャーのヘッド部の間に位置づけられたガード部を更に含む、請求項３９に記載の安全注射器。
【請求項４１】
前記ガード部は、前記安全プランジャーのヘッド部と注射器プランジャーのヘッド部の間に伸びるロッドを含み、前記ロッドは前記安全プランジャーおよび前記注射器プランジャーの分断の後に前記注射器プランジャーに入るように構成される、請求項４０に記載の安全注射器。
【請求項４２】
前記胴部の開口部に接続された皮下注射針をさらに含み、前記シースは前記注射器の使用後に前記皮下注射針を少なくとも部分的に覆うように構成される、請求項１乃至４１のいずれかに記載の安全注射器。
【請求項４３】
注射器と共に使用するための安全注射器装置であって、
前記注射器は、その終端で開口部を有する胴部と、該開口部から該胴部内の物質を出すために該胴部内に移動するように構成された注射器プランジャーを含み、
前記安全注射器装置は、
前記注射器プランジャーに結合されるように構成された安全プランジャーであって、
これによって安全プランジャーの内方ストロークが注射器プランジャーを胴部内に移動させる安全プランジャー、および
注射器の使用の後に胴部の開口部を少なくとも部分的に覆うように構成されたシースと、を含み、
前記安全プランジャーは前記内方ストローク上の第１の点で前記シースと結合するように構成され、内方ストローク上の第２の点で注射器プランジャーから分断するように構成され、これによって前記安全プランジャーが注射器プランジャーと無関係に移動可能であり、
前記内方ストローク上の第１及び第２の点の後の安全プランジャーの更なる移動により、シースが胴部の開口部を少なくとも部分的に覆うようにされる、注射器と共に使用するための安全注射器装置。
【請求項４４】
部品のキットであって、
安全プランジャーの内方ストロークが胴部内に該注射器プランジャーを移動させるように、注射器の注射器プランジャーに結合されるように構成された安全プランジャー、及び、
注射器の使用の後に前記注射器の胴部の開口部を少なくとも部分的に覆うように構成されたシース、を含み、
前記安全プランジャーは前記内方ストローク上の第１の点でシースに結合するように構成され、内方ストローク上の第２の点で前記安全プランジャーが注射器プランジャーと無関係に移動可能なように前記注射器プランジャーから分断するように構成され、
前記内方のストローク上の第１及び第２の点の後に、前記安全プランジャーの更なる移動によって、前記シースが胴部の開口部を少なくとも部分的に覆ってなる、部品のキット。
【請求項４５】
前記安全プランジャーは前記シースに結合されるように構成される、請求項４４に記載の部品のキット。
【請求項４６】
前記胴部に結合され、かつ前記安全プランジャーを受け入れるように構成された取手部をさらに含み、これによって安全プランジャーが取手部を通過することができる、請求項４４又は４５に記載の部品のキット。
【請求項４７】
さらに注射器を含む、請求項４４乃至４６のいずれかに記載の部品のキット。
【請求項４８】
部品のキットであって、
安全プランジャー；
注射器プランジャーであって、前記安全プランジャーが前記安全プランジャーの内方ストロークが注射器の胴部内に注射器プランジャーを移動させるように、注射器プランジャーに結合されるように構成された注射器プランジャー、
前記注射器の使用後に胴部の開口部を少なくとも部分的に覆うように構成されたシースを備え、
前記安全プランジャー、前記注射器プランジャーおよび前記シースが接続されるとき、前記内方ストローク上の第１の点で前記安全プランジャーがシースに結合するように、かつ前記内方ストローク上の第２の点で安全プランジャーが前記注射器プランジャーから注射器プランジャーと無関係に移動可能に分断するように、前記安全プランジャーが構成され、
前記内方ストローク上の第１及び第２の点の後で前記安全プランジャーの更なる移動によってシースが胴部の開口部を少なくとも部分的に覆うようにさせる、部品のキット。
【請求項４９】
安全プランジャーに接続され、かつ安全プランジャーが通り抜けることを可能にするように構成された取手部をさらに含む、請求項４８に記載の部品のキット。
【請求項５０】
部品のキットであって、
安全プランジャーおよび注射器プランジャーを含む組立部品であって、前記安全プランジャーの内方ストロークによって注射器の胴部内に注射器プランジャーを移動させるために注射器プランジャーに結合されるように、前記安全プランジャーが構成されてなる組立部品、および
注射器の使用の後に胴部の開口部を少なくとも部分的に覆うように構成されたシースと、を含み、
前記組立部品とシースが接続されるとき、安全プランジャーは、内方ストローク上の第１の点でシースに結合するように、かつ内方ストローク上の第２の点で安全プランジャーが前記注射器プランジャーから注射器プランジャーと無関係に移動可能に分断するように構成され、
前記内方ストローク上の第１及び第２の点の後の安全プランジャーの更なる移動によって、シースが前記胴部の開口部を少なくとも部分的に覆うようにさせる、部品のキット。
【請求項５１】
前記組立部品は、前記安全プランジャーが通過することを可能にするように構成された取手部をさらに含む、請求項５０に記載の部品のキット。
【発明の詳細な説明】
【技術分野】
【０００１】
本発明は、安全注射器及び注射器を安全注射器に変換するために注射器に適合させるためのデバイスに関する。特定の実施形態では、本発明は受動的安全注射器および関連するデバイスに関するものであるが、これに限定されない。
【背景技術】
【０００２】
広くは、注射器は、終端において皮下注射針を有する胴部と、該胴部内に移動するように構成されたプランジャーを含み、その結果、プランジャーの内方ストロークが、胴部内に含まれた物質が該皮下注射針から出される。
【０００３】
安全注射器は、患者に注入された後、皮下注射針から医療従事者を保護するために典型的には安全機構のあるいくつかの形態を含んでいる。典型的な安全注射器は皮下注射針を覆うためにシースを含み得るか、注射器の胴部内に皮下注射針を引っ込め得る。
【０００４】
安全注射器は、「能動的」かつ「受動的」に広く分割され得る。能動的安全注射器は、安全機構を取るために注射器のユーザーによるいくつかの動作に要求する。そのような動作は患者から針の除去の後に講じられ得るか、あるいは患者から針の除去の間に講じられ得る。典型的には、安全機構を取るのに必要な動作は、プランジャーの内方ストロークを引き起こすのに必要な動作と分かれている。受動的安全注射器は、典型的には特別な動作のない安全機構を取っている。即ち注射器を使用するために通常取られる以外の如何なる動作のない安全機構を取っている。
【０００５】
従来知られた安全注射器は、プランジャーの内方ストロークの後に医療従事者によって取られ得るばね付勢された安全機構を含む。スプリング力は、患者の皮膚に対して表面を押し付け、それによって、針を取り出し、同時に安全機構を取る。ばね付勢された機構が不快感を引き起こし、動作時に患者を痛めるので、そのようなデバイスは誤用しがちである。したがって、医療従事者には安全機構を取る前に患者から針を取り除くことが知られている。これは使用後に医療従事者を皮下注射針にさらし、安全機構のばね付勢動作は針からの血液スプラッターに導き得る。
【発明の概要】
【発明が解決しようとする課題】
【０００６】
他の既知の安全注射器は、安全機構が働き得る前に、皮下注射針が患者から取り除かれることを要求する。これは使用の後に針に医療従事者をさらす。
【課題を解決するための手段】
【０００７】
本発明の一態様によれば、安全注射器が提供され、該安全注射器は、
その終端において開口部を有する胴部、
前記胴部内に移動するように構成された注射器プランジャーであって、これによって注射器のプランジャーの内方ストロークが胴部内の物質を前記開口部から出す注射器プランジャー、
注射器の使用の後に前記胴部の開口部を少なくとも部分的に覆うように構成されたシースを備え、
前記シースは前記注射器プランジャーに結合され、内方ストロークの一点で注射器プランジャーから分断するように構成され、その結果、前記シースが注射器プランジャーと無関係に移動可能であり、前記シースのさらなる移動は、分断した後に胴部の開口部を少なくとも部分的に覆う。
【０００８】
随意に、前記シースは、注射器プランジャーの内方ストローク中に胴部の外部に沿って移動し、かつ前記シースが胴部の開口部を通過する際、或いは通過する前に注射器プランジャーから分断するように構成される。
【０００９】
随意に、注射器プランジャーの内方ストロークの一点が前記注射器プランジャーの内方ストロークの終端である。
【００１０】
随意に、安全注射器は、その内方ストロークで注射器プランジャーに加えられた力を介してシースと注射器プランジャーを分断するように構成された、分断機構をさらに含む。
【００１１】
随意に前記シースは安全プランジャーを形成し、前記分断機構は、安全プランジャー中のカップリング凹部との係合と解除の間を移動するように構成された注射器プランジャー上の突起を含む。
【００１２】
随意に、注射器プランジャーの突起は安全プランジャーに対する注射器プランジャーの回転によって安全プランジャーのカップリング凹部から解放するように構成される。
【００１３】
随意に、注射器プランジャーの本体は、プランジャーを回転させる反動表面と係合するように構成された回転表面を含み、前記反動表面は胴部に対して固定される。
【００１４】
随意に、安全注射器は、胴部の開口部を少なくともと部分的に覆う位置でシースを少なくとも部分的にロックするように構成されたロック機構をさらに含む。
【００１５】
随意に、突起は安全プランジャーの内方ストロークの端部で安全プランジャーのリターン凹部で係合するように構成される。
【００１６】
随意に、安全注射器はさらに弾力的に変形可能な注射器プランジャチップを含み、該注射器プランジャチップは、開口部を含む胴部近位端の内周面に対して圧縮するように構成され、これによって注射器プランジャーを外方へ押し付ける付勢力を提供する。
【００１７】
随意に、付勢力のために注射器プランジャーの外方への移動と逆回転が突起をリターン凹部へと移動させるように、注射器プランジャーが構成される。
【００１８】
随意に、リターン凹部の側方の範囲は、注射器プランジャーの全逆回転を防ぐカップリング凹部の側方の範囲未満である。
【００１９】
随意に、安全注射器は、ロックチャネルを含み、該ロックチャネルは、実質的に長手方向のチャネルによって接続されたカップリング凹部およびリターン凹部を含み、ロックチャネルはロック機構の活性化処理の間に突起をガイドするように構成される。
【００２０】
随意に、突起は安全プランジャーの内方ストロークの終端に実質的に長手方向のチャネルの終端に会うように構成され、それによって、注射器プランジャーの弾力的に変形可能な先端を圧縮する。
【００２１】
随意に、安全プランジャーは、注射器プランジャーのヘッド部を越えて伸び、安全プランジャーのヘッド部は少なくとも１つの腕によってシースに接続され、安全プランジャーの内方ストロークを引き起こすためにユーザーによって力を加えるためのヘッド部である。
【００２２】
随意に、注射器は、注射器プランジャーのヘッド部と安全プランジャーのヘッド部の間に位置したガード部をさらに含む。
【００２３】
随意に、ガード部は、安全プランジャーのヘッド部と注射器プランジャーのヘッド部の間に伸びるロッドを含み、該ロッドはシースおよび注射器プランジャーの分断の後に注射器プランジャーを入れるように構成される。
【００２４】
随意に、安全注射器は、胴部の開口部に接続された皮下注射針をさらに含み、前記シースは注射器の使用の後に皮下注射針を少なくとも部分的に覆うように構成される。安全注射器はカニューレあるいは皮下注射針を含まない注射器の他の形態であり得る。
【００２５】
本発明の更なる態様によれば、注射器と共に使用するためのシースが提供され、該注射器は、その終端において開口部を有する胴部と、胴部内を移動するように構成された注射器プランジャーとを含み、その結果、注射器プランジャーの内方ストロークは胴部内の物質を開口部から出し、前記シースは注射器プランジャーに結合され、内方ストロークの一点で注射器プランジャーからシースを少なくとも部分的に分断するための分断手段を含み、その結果、前記シースは注射器プランジャーから独立して移動可能であり、分断後のシースの更なる移動が胴部の開口部を少なくとも部分的に覆う。
【００２６】
本発明の更なる態様によれば、安全注射器が提供され、該安全注射器は、
その終端で開口部を持っている胴部、
前記開口部から胴部内の物質を出すために胴部内に移動するように構成された注射器プランジャー、
安全プランジャーの内方ストロークが胴部内に注射器プランジャーを移動させるように、注射器プランジャーに結合された安全プランジャー、および、注射器の使用後に胴部の開口部を少なくとも部分的に覆うように構成されたシース、を備え、
前記安全プランジャーは内方ストロークの第１の点でシースに連結されるように構成され、内方ストロークで注射器プランジャーから安全プランジャーが注射器プランジャーから独立して移動可能になるように内方ストローク第２の点で注射器プランジャーから分断するように構成され、第１及び第２の点の後の前記安全プランジャーの更なる移動は、少なくとも部分的に胴部の開口部を覆うようにさせる。
【００２７】
随意に、内方ストロークの第１の点は内方ストロークの最外点であり、その結果、内方ストロークの開始に注射器プランジャーに安全プランジャーが結合される。
【００２８】
随意に、シースは、安全プランジャーに固定して結合される。
【００２９】
随意に、内方ストロークの第１の点は、
内方ストロークの第２の点の前；
内方ストロークの第２の点の後；
内方ストロークの第２の点と実質的に同じ位置、のうちの１つである。
【００３０】
随意に、シースは、胴部に対してシースを固定するように構成されたシース保持手段を含み、胴部に対してシースの移動を可能にするために解放されるように動作可能である。
【００３１】
随意に、安全プランジャーは内方ストローク上の第３の点で支持する機構を解放するように構成される。
【００３２】
随意に、安全注射器は、連結された構成で安全プランジャーおよびシースをロックするためにさらにカップリング係止手段を含む。
【００３３】
随意に、安全プランジャーは、その内方ストローク中に胴部の外部に沿って移動し、かつシースが胴部の開口部を通る点の、あるいはその点の前の注射器プランジャーから分断するように構成される。
【００３４】
随意に、内方ストロークの第２の点は、実質的に注射器プランジャーが胴部の端部に達した点である。
【００３５】
随意に、安全注射器は、安全プランジャーおよび注射器プランジャーを分断するように構成された、分断機構をさらに含む。
【００３６】
随意に、分断機構は安全プランジャーに対する注射器プランジャーの回転下で安全プランジャーおよび注射器プランジャーを分断するように構成される。
【００３７】
随意に、分断機構はその内方ストローク上の安全プランジャーに加えられた力を介して安全プランジャーおよび注射器プランジャーを分断するように構成される。
【００３８】
随意に、分断機構は、安全プランジャー中のカップリング凹部で係合と解除の間を移動するように構成された注射器プランジャー上の突起を含む。
【００３９】
随意に、注射器プランジャーの突起は安全プランジャーに対する注射器プランジャーの回転による安全プランジャーのカップリング凹部から解放するように構成される。
【００４０】
随意に、注射器プランジャーの本体は、プランジャーを回転させる反動表面と係合するように構成された回転表面を含み、前記反動表面は胴部に対して固定される。
【００４１】
随意に、安全注射器は、胴部の開口部を少なくとも部分的に覆う位置でシースをロックするように構成されたロック機構をさらに含む。
【００４２】
随意に、ロック機構は、安全プランジャー中の突起およびリターン凹部を含む、前記突起は安全プランジャーの内方ストロークの終端でリターン凹部と係合するように構成される。
【００４３】
随意に、施錠装置は付勢された施錠装置であり、前記安全注射器は更に付勢部材を含んでおり、該付勢部材は注射器プランジャーの外方への移動および逆回転により突起をリターン凹部へ移動させる付勢力を提供するように構成される。
【００４４】
随意に、付勢部材は弾力的に変形可能な注射器プランジャチップを含み、該注射器プランジャチップは、開口部を含む終端部近位のない表面を圧縮するように構成される。
【００４５】
随意に、リターン凹部の側方範囲は注射器プランジャーの全逆転を防ぐために、カップリング凹部の側方の範囲未満である。
【００４６】
随意に、安全注射器は、実質的に長手方向のチャネルによって接続された結合凹部およびリターン凹部を含む、ロックチャネルを含み、前記ロックチャネルは付勢されたロック機構の作動中に突起をガイドするように構成される。
【００４７】
随意に、突起は安全プランジャーの内方ストロークの終端の後に長手方向のチャネルの終端と会うように構成され、それによって、注射器プランジャーの弾力的に変形可能な先端を圧縮する。
【００４８】
随意に、ロック機構は、ロック凹部を入力するように構成された突起を含み、前記突起とロック凹部のうちの１つは胴部および突起の他方に対して固定され、ロック凹部は安全プランジャーあるいはシースに位置づけられ、突起がロック凹部内にある場合、シースが胴部の開口部を少なくとも部分的に覆う位置でロックされる。
【００４９】
随意に、突起は、突起が突起とロック凹部が一致するとロック凹部に押し込まれるようにロック凹部に付勢される。
【００５０】
随意に、少なくとも安全プランジャーの内方ストロークの一部の間に、突起とロック凹部が一致するまで、突起は表面に乗るように構成され、前記ロック凹部への突起の付勢は内方ストローク中に安全プランジャーに摩擦力をかける。
【００５１】
随意に、突起は弾力的に変形可能な叉部を含む。
【００５２】
随意に、安全注射器は、内方ストローク上の第２の点の後、安全プランジャーの移動速度を制限し及び／又は制御するための速度制御手段を含む。
【００５３】
随意に、速度制御手段は速度制限手段を含み、安全プランジャーに結合され、内方ストローク上の第２の点の後で、注射器プランジャーと係合するように構成されている。
【００５４】
随意に、速度制限手段は第１のネジを含み、注射器プランジャーは、内方ストローク上の第２の点の後に安全プランジャーの更なる移動中の注射器プランジャーを回転させる第１のネジと係合するように構成された第２のネジを含む。
【００５５】
随意に、安全注射器は、内方ストローク上の第１の点から第２の点まで注射器プランジャーの回転を防ぐように構成された回転阻止部材をさらに含む。
【００５６】
随意に、回転阻止部材は、注射器プランジャーが通過する隙間を含み、前記隙間は注射器プランジャーの第２のキーポイントとなる特徴に対応させるように構成された第１のキーポイントとなる特徴を含む。
【００５７】
随意に、注射器プランジャーは、第２のキーポイントとなる特徴が内方ストロークに沿った第２の点で第１のキーポイントとなる特徴から解放するように構成される。
【００５８】
随意に、注射器プランジャーは内方ストロークの第２の点で隙間を完全に通過するように構成される。
【００５９】
随意に、安全注射器は、さらに胴部の内の弾力的に変形可能な栓を含む。
【００６０】
随意に、弾力的に変形可能な栓は注射器プランジャーが回転する場合に回転するように構成され、前記栓は胴部の内径より大きな直径を持っており、摩擦力が栓および注射器プランジャーの回転に抵抗する。
【００６１】
随意に、弾力的に変形可能な栓は弾力的に変形可能な栓と注射器プランジャーの間の相対回転を可能にするように構成され、前記注射器プランジャーと弾力的に変形可能な栓の間の摩擦力は、栓および注射器プランジャーの回転に抵抗する。
【００６２】
随意に、前記速度制御手段は、内方ストロークの第２の点の後に変形表面によって変形されるように構成された弾力的に変形可能な速度制御手段を含み、それによって、安全プランジャーの更らなる移動に抵抗する摩擦力を生成する。
【００６３】
随意に、弾力的に変形可能な速度制御突起は、安全注射器の前後軸の方へ放射状に内方に突出し、前記変形表面は安全プランジャーに置かれ、外側に安全注射器の前後軸から離れて伸びるタブを含む。
【００６４】
随意に、安全プランジャーは注射器プランジャーのヘッド部を越えて伸び、前記安全プランジャーのヘッド部は少なくとも１つのアームを含み、前記安全プランジャーのヘッド部は、前記安全プランジャーの内方ストロークを引き起こすためにユーザーによって力を加えるためのものである。
【００６５】
随意に、安全注射器は、注射器プランジャーのヘッド部と安全プランジャーのヘッド部の間に位置したガード部をさらに含む。
【００６６】
随意に、前記ガード部は、安全プランジャーのヘッド部と注射器プランジャーのヘッド部の間に伸びるロッドを含み、前記ロッドは安全プランジャーおよび注射器プランジャーの分断後に注射器プランジャーを入れるように構成される。
【００６７】
随意に、安全注射器は、胴部の開口部に接続された皮下注射針をさらに含み、前記シースは注射器の使用後に皮下注射針を少なくとも部分的に覆うように構成される。
【００６８】
本発明の更なる態様によれば、注射器で使用するための安全注射器装置が提供され、
前記安全注射器は、その終端で開口部を有する胴部と、注射器プランジャーを含み、
前記注射器プランジャーは胴部内の物質を開口部から出すように構成され、
前記安全注射器装置は、
注射器プランジャーに結合されるように構成された安全プランジャーであって、これによって安全プランジャーの内方ストロークが注射器プランジャーを胴部内に移動させる安全プランジャーと、
前記注射器の使用後に胴部の開口部を少なくとも部分的に覆うように構成されたシースと備え、
前記安全プランジャーは内方ストロークの第１の点でシースに連結されるように構成され、内部のストロークの第２の点で注射器プランジャーから分断するように構成され、これによって前記安全プランジャーが注射器プランジャーと無関係に移動可能であり、
内方ストロークの第１の点及び第２の点の後の前記安全プランジャーの更なる移動は、シースによって胴部の開口部を少なくとも部分的に覆わせる。
【００６９】
本発明の更なる態様によれば、次の部品からなるキットが提供され、該キットは、
安全プランジャーの内方ストロークが胴部の内に注射器プランジャーを移動させるように、注射器の注射器プランジャーに結合されるように構成された安全プランジャーと、
前記注射器の使用後に胴部の注射器の開口部を少なくとも部分的に覆うように構成されたシースと、を含み、
前記安全プランジャーは内方ストロークの第１の点でシースに連結されるように構成され、内方ストロークで注射器プランジャーから安全プランジャーが注射器プランジャーと無関係に移動可能に分断するように構成され、
内方ストロークの第１の点及び第２の点の後の前記安全プランジャーの更なる移動は、シースによって胴部の開口部を少なくとも部分的に覆わせる。
【００７０】
随意に、安全プランジャーはシースに結合されるように構成される。
【００７１】
随意に、前記部品のキットは、胴部に結合され、かつ安全プランジャーを受け入れるように構成された取手部をさらに含み、これによって安全プランジャーが取手部を通過することができる。
【００７２】
随意に、前記部品のキットはさらに注射器を含む。
【００７３】
本発明の更なる態様によれば、安全注射器が提供され、該安全注射器は、
その終端で開口部を持っている胴部と、
胴部内の物質を開口部から出すために胴部内に移動するように構成された注射器プランジャーと、
注射器プランジャーに結合された安全プランジャーであって、これによって安全プランジャーの内方ストロークが注射器プランジャーを胴部内に移動させる安全プランジャーと、
注射器の使用後に胴部の開口部を少なくとも部分的に覆うように構成されたシースであって、前記安全プランジャーは内方ストロークの第１の点で前記シースに連結されるように構成されてなるシースと、
内方ストロークの第２の点で安全プランジャーに対する注射器プランジャーの回転下で注射器プランジャーから安全プランジャーを分断するように構成された、分断機構であって、これによって前記安全プランジャーが注射器プランジャーと無関係に移動可能である、分断機構と、を備え、
前記内方ストロークの第１の点及び第２の点の後の安全プランジャーの更なる移動は、シースに胴部の開口部を少なくとも部分的に覆わせる。
【００７４】
本発明の他の態様によれば、次の部品からなるキットが提供され、該キットは、
安全プランジャーと、
注射器プランジャーであって、前記安全プランジャーは注射器プランジャーに結合されるように構成され、これによって前記安全プランジャーの内方ストロークが胴部の注射器内に注射器プランジャーを移動させる注射器プランジャーと、
前記注射器の使用後に胴部の開口部を少なくとも部分的に覆うように構成されたシースと、を含み、
前記安全プランジャー、前記注射器プランジャーおよび前記シースが接続されるとき、安全プランジャーが内方ストロークの第１の点でシースに連結されるように構成され、内部のストローク上の二次の先端部の注射器プランジャーから分断するように構成され、これによって前記安全プランジャーが注射器プランジャーと無関係に移動可能であり、
内方ストロークの第１の点及び第２の点の後の前記安全プランジャーの更なる移動は、シースによって胴部の開口部を少なくとも部分的に覆わせる。
【００７５】
随意に、部品のキットは、安全プランジャーに接続され、かつ安全プランジャーが通過することを可能にするように構成された取手部をさらに含む。
【００７６】
本発明の他の態様によれば、次の部品からなるキットが提供され、該キットは、
安全プランジャーおよび注射器プランジャーを含む組立部品であって、前記安全プランジャーは注射器プランジャーに結合されるように構成されてなる組立部品と、
これによって前記安全プランジャーの内方ストロークが胴部の注射器内に注射器プランジャーを移動させる注射器プランジャーと、
前記注射器の使用後に胴部の開口部を少なくとも部分的に覆うように構成されたシースを備え、
前記組立部品とシースが接続されるとき、安全プランジャーは内方ストロークの第１の点でシースに連結されるように構成され、内方ストロークの第２の点で注射器プランジャーから分断するように構成され、これによって前記安全プランジャーが注射器プランジャーと無関係に移動可能であり、
内方ストロークの第１の点及び第２の点の後の前記安全プランジャーの更なる移動は、シースによって胴部の開口部を少なくとも部分的に覆わせる。
【００７７】
随意に、組立部品は、安全プランジャーが通過することを可能にするように構成された取手部をさらに含む。
【図面の簡単な説明】
【００７８】
【図１】図１は拡張したプランジャーをもつ安全注射器の側面図である。
【図２ａ】図２ａは拡張したプランジャーをもつ安全注射器の等角図である．
【図２ｂ】図２ｂは、図２ａ中のプランジャーの位置に対応するロック機構の位置の概略図である。
【図３ａ】図３ａは、その内方ストロークに沿った第１の位置でプランジャーを備えた安全注射器の等角図である。
【図３ｂ】図３ｂは、図３ａ中のプランジャーの位置に対応するロック機構の位置の概略図である。
【図４ａ】図４ａは、その内方ストロークに沿った第２の位置でプランジャーを備えた安全注射器の等角図法および部分断面図である。
【図４ｂ】図４ｂは、図４ａ中のプランジャーの位置に対応するロック機構の位置の概略図である。
【図５ａ】図５ａは、その内方ストロークに沿った第３の位置でプランジャーを備えた安全注射器の等角図である。
【図５ｂ】図５ｂは、図５ａ中のプランジャーの位置に対応するロック機構の位置の概略図である。
【図６ａ】図６ａは、その内方ストロークに沿った第４の位置でプランジャーを備えた安全注射器の等角図である。
【図６ｂ】図６ｂは、図６ａ中のプランジャーの位置に対応するロック機構の位置の概略図である。
【図７】図７は安全注射器の側面図である。
【図８】図８は安全注射器の等角図である。
【図９】図９はプランジャーの等角図である。
【図１０】図１０はプランジャーの等角図である。
【図１０ａ】図１０ａはプランジャーの等角図である。
【図１１】図１１はプランジャーを貫いた断面図である。
【図１２】図１２は安全注射器の側面図である。
【図１３】図１３は、注射器プランジャーおよび安全プランジャーの分解等角図である。
【図１３ａ】図１３ａは、取手部の等角図を示す。
【図１３ｂ】図１３ｂは、注射器プランジャーの等角図を示す。
【図１４ａ】図１４ａは、その内部のストロークに沿った第１の位置でプランジャーを備えた安全注射器の等角図である。
【図１４ｂ】図１４ｂは、図１４ａ中のプランジャーの位置に対応する位置のシース保持手段を貫く断面図である。
【図１５ａ】図１５ａは、その内方ストロークに沿った第２の位置でプランジャーを備えた安全注射器の等角図である。
【図１５ｂ】図１５ｂは、図１５ａ中のプランジャーの位置に対応する位置のシース保持手段を貫く断面図である。
【図１６ａ】図１６ａは、その内方ストロークに沿った第３の位置でプランジャーを備えた安全注射器の等角図である。
【図１６ｂ】図１６ｂはロック位置でシース係止手段を貫く断面図である。
【図１７】図１７は、ロック機構を含む安全注射器を示す。
【図１８ａ】図１８ａは、その内方ストロークに沿った第１の位置でプランジャーを備えた安全注射器の等角図である。
【図１８ｂ】図１８ｂは、その内方ストロークに沿った第２の位置でプランジャーを備えた安全注射器の等角図である。
【図１８ｃ】図１８ｃは、その内方ストロークの終端でランジャーを備えた安全注射器の等角図である。
【図１９ａ】図１９ａは、その内方ストロークに沿った第１の位置でプランジャーを備えた安全注射器を貫く断面図である。
【図１９ｂ】図１９ｂは、その内方ストロークに沿った第２の位置でプランジャーを備えた安全注射器を貫く断面図である。
【図１９ｃ】図１９ｃは、その内方ストロークの終端でプランジャーを備えた安全注射器を貫く断面図である。
【図２０ａ】図２０ａは取手部の平面図である。
【図２０ｂ】図２０ｂは、取手部および注射器プランジャーの等角図である。
【図２０ｃ】図２０ｃは取手部および注射器プランジャーによってセクションである。
【図２１ａ】図２１ａは、その内方ストロークに沿った第１の位置でプランジャーを備えた安全注射器の等角図である。
【図２１ｂ】図２１ｂは、その内方ストロークに沿った第２の位置でプランジャーを備えた安全注射器の等角図である。
【図２１ｃ】図２１ｃは、その内方ストロークの終端でランジャーを備えた安全注射器の等角図である。
【図２２ａ】図２２ａは、その内方ストロークに沿った第１の位置でプランジャーを備えた安全注射器を貫く断面図である。
【図２２ｂ】図２２ｂは、その内方ストロークに沿った第２の位置でプランジャーを備えた安全注射器を貫く断面図である。
【図２２ｃ】図２２ｃは、その内方ストロークの終端でプランジャーを備えた安全注射器を貫く断面図である。
【発明を実施するための形態】
【００７９】
一般に、安全注射器、安全注射器を使用する方法および安全注射器デバイスが本明細書に示され、前記シースは、ユーザーによって加えられた力の下で注射器の針を少なくとも部分的に覆う位置に移動される。典型的な安全注射器では、シースはプランジャーに結合され、力はシースにユーザーによって加えられる。それによって、プランジャーとシースを移動させる。プランジャーの内方ストロークに沿った点で、シースはプランジャーから分断し、ユーザーによる力の継続的な適用は、針を少なくとも部分的に覆う位置にシースを移動させる。安全注射器デバイスは、注射器を安全注射器にするために注射器に適合されるように構成された装置を包含する。すなわち、典型的な安全注射器デバイスは、本明細書に記載され、かつ図面に記載された胴部、針および／または除去された注射器プランジャーを備えた安全注射器と同一であり得る。
【００８０】
「内方ストローク」は、胴部の開放端に向かう注射器に対してプランジャーの長手方向のストロークである、すなわち、胴部から物質を出す方向である。外方は、反対の意味を持っている。
【００８１】
図１を参照して、安全注射器１００は、胴部１０４の終端に固定された皮下注射針１０２を含む。皮下注射針は中空である。胴部１０４は、針１０２がそれに固定される点における開口部を含み、これによって胴部１０４と針１０２の中空チャネルの間に流体経路が存在する。注射器１００は、胴部１０４、安全プランジャー１１０およびシース１１２に対して固定された取手部１０６を含む安全注射器装置をさらに含む。
【００８２】
注射器プランジャー１０８は胴部１０４の内部で位置し、そこに移動するように構成される。注射器プランジャー１０８は内部のストロークで移動し得、注射器プランジャー１０８は、胴部１０４、あるいは外部のストロークへさらに移動し、注射器プランジャー１０８は胴部１０４から引かれる。注射器プランジャー１０８は、内方ストロークが胴部１０４で保持された物質を胴部１０４の開放端から、および針１０２を介して通って出されるように構成される。
【００８３】
図１の典型的な装置では、安全プランジャー１１０はシース１１２に結合され、ヘッド部１１４、およびシース１１２にヘッド部１１４を接続するアーム１１６ａ、１１６ｂを含む。アーム１１６ａおよび１１６ｂは胴部１０４の外側に沿って移動可能であり、これによってヘッド部１１４への力の適用時に胴部１０４の外側に沿ってシース１１２が移動する。典型的な安全注射器および安全注射器装置では、安全プランジャー１１０は、後で組み立てることができる複数の分離機能として製造され得る。例えば、シース１１２は１つのパーツとして製造され得、アーム１１６ａ、１１６ｂおよびヘッド部１１４は１つのパーツとして製造され得る。組立て中に、２つのパーツは、干渉或いはスナップ嵌め配列などのいくつかの接続手段によってともに連結され得る。複数のパーツによる安全プランジャー１１０の製造は、安全注射器の全組立てがより簡単になることを意味する。なぜなら安全プランジャー１１０は、注射器プランジャー１０８を安全プランジャー１１０にガイドしなければならないことよりむしろ注射器プランジャー１０８のまわりで組み立てられ得るからである。さらに、安全プランジャーおよびシースは、少なくとも安全注射器の内方ストロークの少なくとも一部の間で独立し得る分離ユニットであり得る。そのような配列の一例は図１４〜１６に示され、以下に詳細に記述される。
【００８４】
針１０２は、患者に薬を注入するか、患者から液体を受け取るようなユーザーによってタスクが保証されるように適切なすべての類型であり得る。典型的な安全注射器１００では、針１０２は、胴部１０４の開放端へ固定して付けられている。他の典型的な安全注射器１００では、針１０２は、胴部１０４に移動できるように付けられ得る。そのような安全注射器１００では、針１０２は同じあるいは異なる類型の他の針と取り替えられ得る。
【００８５】
胴部１０４は針１０２が接続される点に向かう開放端でテーパ形状をしている。図１の典型的な安全注射器１００では、胴部１０４はテーパ内面１１８を含む。後で説明されるように、テーパ内面は、注射器プランジャー１０８に適合された弾力的に変形可能なプランジャチップを受け入れ、それによって圧縮し得る。胴部１０４は、物質（例えば薬剤）であらかじめ満たされ得る。これによって安全注射器１００はパケットから使用する準備ができている。
【００８６】
取手部１０６は主本体１２０、および主本体１２０から横に伸びるフランジ１２２ａ、１２２ｂを含む。主本体１２０は、胴部１０４を囲み、それに固定される部分を含む。フランジ１２２ａ、１２２ｂは、ユーザーの人差し指および中指を受け入れるように構成され、指および／または親指の如何なる組合せも使用され得るが、親指が安全プランジャー１１０のヘッド部１１４に力を加える。取手部１０６は隙間１２４によって胴部１０４に固定され、該隙間１２４はニードル１０２に結合された開口部への遠位端で胴部の開口部の放射状に突出するリップを受け入れるように構成される。
リップは、隙間１２４の中にそれを保持するのに適当なスナップ嵌めを介して受け入れられ得る。
【００８７】
注射器プランジャー１０８がそのストロークの最も外側の部分にある場合、シース１１２は、少なくとも取手部１０６の主本体１２０内に部分的に受け入れられ得る。
【００８８】
安全プランジャー１１０のアーム１１６ａ、１１６ｂは取手部１０６を通過するように構成され、これによって安全プランジャー１１０は取手部１０６及びしたがって胴部１０４に対してそのストローク中に移動し得る。シース１１２はシース１１２が少なくとも部分的に針１０２を覆うまで、安全プランジャー１１０の内方ストロークによって胴部１０４の外側に沿って移動するように構成される。安全プランジャー１１０のストロークの最も内側の点において、シース１１２の終端１２６が、ニードル１０２の終端を越え、これによって針１０２の鋭い点が露出されない。
【００８９】
アーム１１６ａ、１１６ｂは結合凹部１２８ａ、１２８ｂを含む。（結合凹部１２８ｂだけは図１で見られる）。注射器プランジャー１０８は突起１３０ａ、１３０ｂを含む。（突起１３０ｂだけは図１で見られる）突起１３０ａ、１３０ｂは結合凹部１２８ａ、１２８ｂに受け入れられるように構成される。突起は注射器プランジャー１０８のヘッド部１３２の上にあり、突起は注射器プランジャー１０８の外側端部に位置づけられる。突起１３０ａ、１３０ｂおよび結合凹部１２８ａ、１２８ｂは、注射器プランジャー１０８の回転が結合凹部１２８ａ、１２８ｂ内の突起１３０ａ、１３０ｂと係合及び解除するように構成される。突起１３０ａおよび１３０ｂが結合凹部１２８ａ、１２８ｂに係合されると、安全プランジャー１１０は注射器プランジャー１０８に結合される。突起１３０ａ、１３０ｂが結合凹部１２８ａ、１２８ｂから離れると、安全プランジャー１１０は注射器プランジャー１０８から分断される。
【００９０】
注射器プランジャー１０８は回転表面１３４を含む。回転表面は注射器プランジャー１０８を回転させるために反動表面（図１に示されない）と連携するように構成される。回転表面は注射器プランジャー１０８の傾斜された角度のある部分であり得る。反動表面は胴部１０４に対して固定される。図１の典型的な実施形態では、注射器プランジャー１０８にはその本体に沿った十字形の部分がある。取手部１０６は注射器プランジャー１０８の十字に対応する十字形の隙間を含む。注射器プランジャー１０８はそのストロークに沿って通ると、注射器プランジャー１０８の十字形状の本体は、取手部１０６の隙間を通過する。回転表面１３４は、注射器プランジャー１０８の本体の十字の角度のある部分を含む。十字形の本体の延長部はそれぞれ非常に角度が付けられている。結果は、回転表面１３４が取手部１０６中の十字形の隙間に達する場合、注射器プランジャー１０８が回転するということである。注射器プランジャー１０８を回転させる他の方法は可能であり、いくつかが本明細書で論じられる。
【００９１】
安全プランジャー１１０のストロークは注射器プランジャー１０８のストロークより大きい長さである。なぜならアーム１１６ａ、１１６ｂは、注射器プランジャー１０８のヘッド部１３２を越えて伸びるからである。したがって、間隙１３６は、安全プランジャーのヘッド部１１４と注射器プランジャーのヘッド部１３２の間に存在する。以下に説明するとおり、ガード部は、ユーザーが間隙１３６に指又は親指を挿入して、注射器プランジャー１０８のヘッド部１３２に力を直接加えることを防止するために設けられ得る。
【００９２】
図２ａ−６ａは、安全プランジャー１１０の内方ストロークに沿った様々な位置での安全注射器１００の等角図を示す。（したがって２つのカップリングを介した注射器プランジャー１０８）。安全注射器１００の動作は図２ａ−６ａに対して以下に述べられる。
【００９３】
図２ａは、完全に延ばされた注射器プランジャー１０８および安全プランジャー１１０の両方を備えた、およびそれらのストロークの最外点の安全注射器１００を示す。注射器プランジャー１０８は安全プランジャー１１０に結合される。なぜなら注射器プランジャー１０８のヘッド部１３２の突起（１３０ａ、１３０ｂ）が安全プランジャーのアーム（１１６ａ、１１６ｂ）における結合凹部（１２８ａ、１２８ｂ）に係合されているからである。このように、注射器プランジャー１０８はシース１１２に結合され、安全プランジャー１１０の一部を形成する。胴部１０４は、薬剤のような物質であらかじめ満たされ得る。
【００９４】
ユーザーは、取手部１０６のフランジ（１２２ａ、１２２ｂ）に１方の手の人差し指および中指を押しつけてもよく、また安全プランジャー１１０のヘッド部１１４に同じ手の親指を押しつけてもよい。その後、ユーザーは、人差し指と中指の方に親指を閉じることにより、ヘッド部１１４および取手部１０６に相対的な力を適用する。明瞭さのために、本明細書において、この相対的な力は、ヘッド部１１４の力と見なされる。
【００９５】
ヘッド部１１４に加えられた力は、安全プランジャー１１０の内方ストロークを開始する。安全プランジャー１１０および注射器プランジャー１０８が連結されるとともに、注射器プランジャー１０８の内方ストロークも始まる。安全プランジャー１１０および注射器プランジャー１０８はともに移動する。
【００９６】
図３ａは、注射器プランジャー１０８および安全プランジャー１１０の両方の内方ストロークを進む安全注射器１００の部分を示す。注射器プランジャー１０８および安全プランジャー１１０は、ヘッド部１１４に加えられた力の下でともに特定の点まで移動し、該点において、回転表面１３４は、取手部１０６の反動表面と連携する。
【００９７】
図４ａで示されるように、ヘッド部１１４の力の継続的な適用は安全プランジャーから分断するように注射器プランジャー１０８を導く。これをより明白に示すために、安全注射器１００の一部は、図４ａにおいて切り欠かれている。注射器プランジャー１０８の移動方向に対して角度のある回転表面１３４は、反動表面と連携し、注射器プランジャー１０８は回転する。その結果、注射器プランジャー１０８のヘッド部１３２の突起（１２８ａ、１２８ｂ）は、アーム（１１６ａ、１１６ｂ）によって結合凹部（１３０ａ、１３０ｂ）から離れた。（突起１２８ｂだけが図４ａにおいて見える）こうして安全プランジャー１１０は、注射器プランジャー１０８に対して自由に移動することができる。すなわち、注射器プランジャー１０８が静止しているままである一方、安全プランジャー１１０は自由に移動することができる。上述するように、安全プランジャー１１０および注射器プランジャー１０８のストロークを開始するためにユーザーによって加えられた力は当該２つのものを分断するために使用される。
【００９８】
ヘッド部１１４への力の継続的な適用は、安全プランジャー１１０の内方ストロークを継続する。分断が生じる点は注射器プランジャー１０８がその内方ストロークを終えた点であり得る。すなわち、分断は、注射器プランジャー１０８のストロークの最も内側の点で生じ得る。これは、胴部１０４の内に含まれていた物質がすべて分断の前に注射器１００から出されたことを保証する。図１〜６の典型的な装置では、注射器プランジャー１０８から安全プランジャー１１０を分断することが、注射器プランジャー１０８からのシース１１２の衝撃緩和に結びつくことはもう一度注目される。なぜならシースは安全プランジャー１０８の一部を形成するからである。
【００９９】
図５ａは、ヘッド部１１４への力の継続的な適用による安全プランジャー１１０の継続的な移動を示す。安全プランジャー１１０は取手部１０６を通過し続け、注射器１００の長さを下ってさらに伸び続ける。シース１１２は胴部１０４の終端を越えて伸びており、部分的に針１０２を覆う。
【０１００】
安全プランジャー１１０の内方ストロークが終わった時、図６ａで示されるように、ヘッド部１１４は取手部１０６に当接し、注射器プランジャー１０８のヘッド部１３２にも当接する。この位置では、シース１１２は、それが完全に針１０２を囲むように延びた。針が露出されないように、シース１１２の終端１２６は針１０２の先端を越えて延びる。この位置では、安全注射器１１０は胴部１０４およびニードル１０２に対してロックし得、これによって針１０２が露出されるようにはなれない。典型的な安全注射器では、安全プランジャー１１０は、取手部１０６にロックされるようになり得る。
【０１０１】
図２ｂ−６ｂ、シース１１２が皮下注射針１０２をカバーしているポジションの中で安全プランジャー１１０をロックするためにロック機構の動作を示す。ロック機構は、安全プランジャー１１０のストロークの最も内側の点で胴部１０４に対して安全プランジャー１１０をロックする。ここに、図２ｂ−６ｂの中で示されるロック機構は、このロック機構と他のロック機構を区別するのを助けるために、図１７に示されたスナップ嵌めロック機構などの付勢されたロック機構と呼ばれ得る。以下に説明されるように、付勢されたロック機構は、注射器プランジャーの弾力的に変形可能な先端、あるいは代替的な外方への付勢部材によって付勢され得る。
【０１０２】
図２ｂを参照すると、突起（１３０ａ、１３０ｂ）のうちの１つはチャネル１３８に示される。（ここから、ロック機構について記述する時１３０と呼胴部）チャネルは、安全プランジャーの腕（１１６ａ、１１６ｂ）の１つで形成される。疑問を避けるために、典型的な実施形態では、チャネル１３８が両方のアーム（１１６ａ、１１６ｂ）で形成され得ることは注目される。
【０１０３】
ロック機構が存在しないか、或いは図２ｂ−６ｂで示されるロック機構と異なるロック機構が存在する実施形態では、結合凹部（１２８ａ、１２８ｂ）だけがアーム（１１６ａ、１１６ｂ）で形成され得る。（ここから、ロック機構について記述する時１２８と呼胴部）
例示の目的のために、結合凹部１２８は図２ｂ−６ｂ中のハッチングが施された陰影で示される。
【０１０４】
チャネル１３８は実質的にＣ字−形状である。典型的なロック機構では、チャネル１３８は斜めになったＣ字−形状である。チャネルは、結合凹部１２８、実質的に長手方向の部分１４０およびリターン凹部１４２を含む。リターン凹部１４２の側方の範囲は結合凹部１２８の側方の範囲未満である。
【０１０５】
図２ｂでは、突起１３０は結合凹部１２８に位置づけられ、安全プランジャー１１０および注射器プランジャー１０８が結合される。突起１３０の側方の位置は捩じれる前に、取手部に注射器プランジャー１０８および対応する十字形の隙間の十字形の本体によって定義されている。突起１３０の側方の位置が他の手段によって定義され得ることが注目される。
【０１０６】
図３ｂでは、安全プランジャー１１０は、その内方ストロークの一部を作り、注射器プランジャー１０８から分断する直前に点に達した。突起１３０は、結合凹部１２８にまだ位置づけられている。
【０１０７】
図４ｂでは、安全プランジャー１１０および注射器プランジャー１０８の内方ストロークは、注射器プランジャー１０８が回転した点に達した。この点において、突起１３０は結合凹部１２８から解除となり、安全プランジャー１１０および注射器プランジャーが分断される。これは結合凹部を出た突起１３０によって図４ｂで示され、実質的に側方のチャネル１４０に入っている。さらに、安全プランジャー１１０の内方への運動は注射器プランジャー１０８に依存しない。
【０１０８】
図５ｂでは、安全プランジャー１１０は、注射器プランジャー１０８と無関係にその内方ストロークに沿ってさらに移動し、前記安全プランジャー１１０は静止しているままであった。したがって、突起１３０は実質的に側方のチャネル１４０を下って移動した。
【０１０９】
注射器プランジャーは弾力的に変形可能な先端を含み、それは皮下注射針１０２の前に胴部１０４の終端で圧縮され得る。そのような圧縮は、その外方ストロークを開始するために注射器プランジャー１０８が胴部１０４をバックアップするよう付勢する、付勢力に帰着する。突起１３０が実質的に側方のチャネル１４０の終端と接触し、かつ押しつけられると、安全プランジャー１１０のヘッド部１１４に加えられた継続的な力は、注射器プランジャー１０８にも力を加えて、注射器プランジャー１０８の弾力的に変形可能な先端を圧縮する。このように、注射器プランジャー１０８および安全プランジャー１１０は弾力的に変形可能な先端を圧縮するために一時的に再度結合される。
【０１１０】
力が安全プランジャーのヘッド部１１４から取り除かれると、弾力的に変形可能な先端の圧縮に起因する付勢力は、その外方ストロークを開始するために、注射器プランジャーを外方に移動させ始める。注射器プランジャー１０８の外方移動で、回転表面１３４は再び当該反動表面と、あるいは別の反動表面と連携するように構成される。該別の反動表面は胴部１０４に対して固定され、突起１３０はリターン凹部１４２に入るように、注射器プランジャーは逆に回転し始める。これは図６ｂに示される。突起１３０は、注射器プランジャー１０８が完全に逆回転する前にリターン凹部１４２の側方の範囲に接触する。なぜならリターン凹部１４２の側方の範囲は、結合凹部１２８の側方の範囲未満であるからである。
【０１１１】
突起１３０がリターン凹部１４２に入ると、突起１３０は実質的に長手方向のチャネル１４０を上に移動することが妨げられ、安全プランジャー１１０は注射器プランジャー１０８にロックされる。安全プランジャー１１０と注射器プランジャー１０８を分離するあらゆる試みは、突起１３０をリターン凹部へとさらに付勢しロックを強化する。
【０１１２】
さらに、注射器プランジャー１０８は胴部１０４に対してロックされ、その外方ストロークで移動することができない。これは、注射器プランジャー１０８が完全に逆回転する前に突起１３０がリターン凹部１４２の側方の範囲に達するからであり、したがって、回転表面１３４は完全には反動表面を通過していない。注射器プランジャー１０８がその外方ストロークを継続することができる、ただ一つの方法は、それが回転し続けるかどうかである。しかし、これは、リターンチャネル１４２の終端に達する突起１３０によって妨げられる。したがって、注射器プランジャー１０８は胴部１０４でロックされ、注射器プランジャー１０８が注射器プランジャー１０８にロックされ、安全プランジャー１１０も胴部１０４に対してロックされる。これは針１０２を覆って、適所にシース１１２を維持する。
【０１１３】
上述したように、安全プランジャーの十分な内方ストロークは２つの動作を完了する：すなわち、胴部１０４内での物質の投与、およびシース１１２による針１０２の被覆。これらの２つの動作はユーザーから単一の動作だけで終わる。さらに、ユーザーのための単一のアクションは完全に直観的である、それは標準的な注射器を使用するのに要求される動作は全く異ならず、プランジャーを低下させる。ただ一つの違いは、内方ストロークがわずかに長いということである。さらに、医療従事者は、注射器を使用する場合に内方ストロークを終えるように常に訓練される。したがって、その訓練時に、安全注射器１００を使用する医療従事者は、さらにニードル１０２上のシース１１２を取る。そのため、安全注射器１００は安全性を改善した。
【０１１４】
さらに、注射器プランジャー１０８から分断した後に安全プランジャー１１０の内方ストロークを終えるという動作は、シース１１２の終端面１２６を患者の皮膚に押しつけて、針１０２をそこから取り出す。これは、知られた安全注射器のバネによって急速に加えられた高い力というよりはむしろユーザーによって着実に加えられる通常の力の下でなされる。したがって、患者にとって不快であり、痛めることが軽減される。
【０１１５】
典型的な安全注射器では、安全プランジャー１１０はが、僅かな抵抗或いは抵抗なく取手部１０６を介して自由に移動することができる。対照的に、胴部１０４における注射器プランジャー１０８の移動は、抵抗の量を提示する。その結果、安全プランジャー１１０から注射器プランジャー１０８を分断した後、急激な抵抗の降下が存在する。したがって、分断された時、安全プランジャー１１０を移動させるのに必要な力はより低い。これは、シース１１２が針の先端を越えて延びる前に、内方ストロークを止めることがユーザーにとって非常に難しいことを意味する。なぜならそれが急速に起こるからである。他の安全注射器では、取手部による安全プランジャー１１０の移動はある抵抗を提示するために弱められ得る。
【０１１６】
上記の典型的な安全注射器１００では、注射器プランジャー１０８の回転は安全プランジャー１１０から分断するために使用される。しかしながら、これが実装され得る多くの方法があり、これらは添付された請求の範囲内でカバーされる。分断を実行するための機構は、下記の１つ以上を含んでもよい：
【０１１７】
‐プランジャーが安全プランジャーの水平スロットまたは結合凹部によって駆動される回転係合であって、
‐胴部に対して固定された変位表面によって置き換えられるまで、付勢されたクリップがプランジャーを保持するクリップ係合；
‐注射器プランジャーおよび安全プランジャーがいつの要素として成形され、これらを接続する小さなプラスチックの「ブリッジ」が切断される脆弱な係合；
‐安全プランジャーの磁石が注射器プランジャーにおける金属元素（あるいはその逆）を引きつける磁気係合；
‐注射器プランジャーが、離脱されたか、或いは破壊された安全プランジャー上の「テザー（ｔｅｔｈｅｒｓ）」によって引かれる  紐／ロープ／ネジの係合；
‐注射器プランジャーが安全プランジャーのボトル・ネックに「押し込まれ」、摩擦によって前方へ駆動される干渉係合；
‐接着剤が注射器プランジャーおよび安全プランジャーを結合するために使用される粘着性係合；
‐注射器プランジャーが安全プランジャーに空気により結合される  サクション係合；
‐エレクトロニクス  −  電磁気、スマートな材料、コンピューター制御されたラッチも使用され得る；
‐ギヤー係合；および
‐ラチェット係合。
【０１１８】
数字７および８は、それぞれ安全注射器７００の側面図および等角図を示す。図７では、注射器プランジャー７０８および安全プランジャー７１０は、安全プランジャー７１０のアーム（７１６ａ、７１６ｂ）の内面上に配列された、付勢クリップ（７４０ａ、７４０ｂ）によって連結される。クリップ（７４０ａ、７４０ｂ）は安全注射器７００の中心軸の方へ付勢され、該クリップは注射器プランジャー７０８のヘッド部７３２を保持するように構成され、その結果、注射器プランジャー７０８および安全プランジャー７１０が連結され、それによって、注射器プランジャー７０８およびシース７１２は連結される。
【０１１９】
胴部７０４に対して固定される変位表面７４２ａ、７４２ｂは、それらが変位表面７４２ａ、７４２ｂを通ると、付勢されたクリップ７４０ａ、７４０ｂを置き換えるように構成される。変位は安全注射器７００の重心軸から離れており、したがって、注射器プランジャー７０８のヘッド部７３２を解放する効果がある。ついで、これは安全プランジャー７１０から注射器プランジャー７０８を分断する。図８で見ることができるように、腕（７１６ａ、７１６ｂ）は、置き換えられるときにクリップ（７４０ａ、７４０ｂ）が移動し得るスロットあるいは凹部（７４４ａ、７４４ｂ）を含み得る。
【０１２０】
注射器プランジャー７０８および注射器プランジャー７１０の結合／分断配置以外の態様で、安全注射器７００は、安全注射器１００の１つ以上の特徴を含み得る。
【０１２１】
図９は、図１の注射器プランジャー１０８を分離して示す。
【０１２２】
図１０は、安全プランジャーから注射器プランジャーを注射器プランジャーの回転によって分断する場合に、使用され得る代替の注射器プランジャー１００８を示す。注射器プランジャー１００８は例えば図１の安全注射器１００において使用され得る。図１０において見られるように、注射器プランジャー１００８の本体には実質的に矩形断面がある。注射器プランジャー１００８の頂部は本体に対して捩じられ、その結果、回転表面１０３４が提供される。典型的な安全注射器では、注射器プランジャー１００８は、注射器プランジャー１００８の本体の断面図に相当する取手部中の隙間を通り抜けるかもしれない。回転表面１０３４が隙間に達し、頂部が捩じられると、注射器プランジャー１００８が回転させる。注射器プランジャー１００８はさらにヘッド部１０３２および突起（１０２８ａ、１０２８ｂ）をその上に含み、上述されたものと類似した方法で動作する。
【０１２３】
図１０ａは、から動きデバイス１００９を含む典型的な注射器プランジャー１００８ａを示す。から動きデバイス１００９は、胴部の製造中の許容差を説明するために、注射器の胴部の終端において、必要とされるならば、圧縮するように構成される。安全注射器の他の特徴に対する許容差と比較する際に、胴部製造中の許容差は比較的高くなりえる。この結果、胴部で物質のうちのいくらかを残して、注射器プランジャーの先端が胴部の終端に達していない場合、注射器プランジャーは、その内方ストロークの終端に達し得る。薬剤送達の場合には、これが回避される。反対に、注射器プランジャーの先端は分断手段が安全プランジャーから注射器プランジャーを分断する前に、シースの位置を針のまわりで邪魔をして、胴部の終端に達し得る。
【０１２４】
したがって、注射器プランジャーは、胴部と、その長さ方向に沿って位置づけられた、から動きデバイス１００９より僅かに長く製造され得る。から動きデバイスは、注射器プランジャー１００８ａの先端が注射器プランジャー１００８ａの内方ストロークの終端の前に胴部の終端に達する場合、圧縮する注射器プランジャー１００８ａ中の圧縮可能な要素である。これは、注射器プランジャー１００８ａの先端が胴部の終端に常に達することを保証し、分断手段が常に作動することを保証する。
【０１２５】
図１０ａのように、から動きデバイス１００９はバネであり得るが、発泡材またはエラストマー材料などの他の圧縮可能なデバイスあるいは材料であり得る。
【０１２６】
図１１は、ヘッド部１１３２に中央の穴１１４６を含む注射器プランジャー１１０８を示し、それは注射器プランジャー１１０８の長さに沿って延びる。中央の穴１１４６は注射器プランジャーのどれにも組み入れられ得るものであり、該注射器プランジャーは本明細書の範囲内でカバーされる。中央の穴１１４６はガード部（上述した）を受け入れるように構成され得るものであり、ガード部は図１に示される間隙１３６に位置する。ガード部は、ヘッド部１３２の下側に取り付けられ、中央の穴と一致するピン又はロッドであり得る。ガード部は、ユーザーが、自らの親指を挿入すること、注射器プランジャー１０８のヘッド部１３２に直接力を加えてユーザーを防ぐかあるいはギャップ１３６へ触るように構成され、注射器プランジャー１０８のヘッド部１３２に力を直接加えることを妨げるように構成されて、シース１１２を設けなくとも安全注射器１００の使用を可能にしている。
【０１２７】
図１２は典型的な安全注射器１２００を示す。安全注射器１２００は、動作するため取手部を必要としない分断機構を含む。より具体的には、安全注射器１２００は、安全プランジャー１２１０および注射器プランジャー１２０８の特徴だけで動作することができる分断機構を含む。そのような分断機構は、多くの方法で提供され得るのであり、安全注射器１２００は一例である。
【０１２８】
安全プランジャー１２１０は側方かつ外方に付勢された部材１２５０を含む。付勢された部材１２５０は、側方かつ外方に付勢され、注射器プランジャーの対応する保持手段で係合するように構成された、２つの保持する突起（１２５２ａ、１２５２ｂ）を含む。（例えば凹部あるいは隙間（１２５４ａ、１２５４ｂ））注射器プランジャー１０８が安全注射器の胴部１２０４に入ると、それらを側方かつ内方に押し、付勢された部材１２５０によって付勢を克服する支持突起（１２５２ａ、１２５２ｂ）と連携するまで、胴部１２０４の内部壁は注射器プランジャー１２０８の外側を上へ移動する。安全プランジャー１２１０に加えられた継続した長手方向かつ内方の力は、注射器プランジャー１２０８の対応する保持手段上に支持突起（１２５２ａ、１２５２ｂ）を押し付け、安全プランジャー１２１０および注射器プランジャー１２０８を分断する。
【０１２９】
図１３は典型的な安全プランジャー１３１０および注射器プランジャー１３０８を示す。安全プランジャー１３１０、注射器プランジャー１３０８および胴部キャップ１３６０は、共にその内方ストローク上の点で注射器プランジャー１３０８を回転させるように構成される。注射器プランジャー１３０８上に回転表面が存在しないことは注目される。注射器プランジャー１３０８は注射器と共に提供される標準的な注射器プランジャーであり得、詳しく設計される必要はない。安全プランジャー１３１０に対する注射器プランジャー１３０８の回転が達成され得る多くの方法が存在することはさらに注目され、図１３の典型的な配列は１つの方法を示す。特定の安全注射器装置では、図１３のように、１つ以上の回転表面が、個別の要素上ではなく取手部（例えば指フランジ上）に置かれ得る。例えば、図１３ａと１３ｂにおいて、回転表面（１３７０ａ、１３７０ｂ）は取手部１３０６に置かれる。回転表面（１３７０ａ、１３７０ｂ）は、注射器プランジャー１３０８上で突部（１３７２ａ、１３７２ｂ）と連携するように構成された角度のある表面を含み、突部（１３７２ａ、１３７２ｂ）が注射器プランジャー１３０８の内部のストローク上で回転表面（１３７０ａ、１３７０ｂ）を通ると、注射器プランジャー１３０８を回転させる。
【０１３０】
胴部キャップ１３６０は、注射器プランジャー１３０８の十字形状の十字部を受けいれるように構成された十字形状の隙間１３６２を含む。注射器プランジャー１３０８の回転は胴部キャップ１３６０の回転を通じて提供される。この目的のために、胴部キャップは、安全プランジャー１３１０における回転チャネル（１３６６ａ、１３６６ｂ）内を移動するように構成された回転突起（１３６４ａ、１３６４ｂ）を含む。安全プランジャー１３１０がその内方ストロークを移動すると、回転突起（１３６４ａ、１３６４ｂ）は、回転チャネル（１３６６ａ、１３６６ｂ）を介して移動し、回転突起（１３６４ａ、１３６４ｂ）は、安全プランジャー１３１０の内方移動により胴部キャップ１３６０を回転させる角部を含む。上述したように、胴部キャップ１３６０の回転は注射器プランジャー１３０８を回転させ、これによって安全プランジャー１３１０から注射器プランジャー１３０８を分断する。
【０１３１】
図１４〜１６は、典型的な安全注射器装置１４０１が取り付けられた注射器１４００を示す。上記のとおり、注射器１４００および安全注射器装置１４０１はともに安全注射器を形成しうる。安全注射器装置１４０１は安全プランジャー１４１０およびシース１４１２を含む。注射器１４００および安全注射器装置１４０１の特徴の多くは、他方の典型的な装置のいずれに対しても上述されたものに似ている。そのため、それらの特徴の説明は再びここでしない。また、対応する参照符号が図１４〜１６においてそれらを同定するために使用される。
【０１３２】
図１４ａを参照すると、安全注射器装置１４０１は拡張状態で示される。すなわち、安全プランジャー１４１０および注射器プランジャー１４０８はそれらの内方ストロークの最外点にある。安全プランジャー１４１０は、突起（１４３０ａ、１４３０ｂ）および対応する結合凹部（１４２８ａ、１４２８ｂ）を介して注射器プランジャー１４０８に結合される。
【０１３３】
シース１４１２は、安全プランジャー１４１０から当初は分断され、安全プランジャー１４１０の内方ストローク上の点で安全プランジャー１４１０に連結されるように構成される。シース１４１２および安全プランジャー１４１０の結合後、安全プランジャー１４１０のさらなる内方移動は、注射器１４００の胴部１４０４および皮下注射針１４０２の終端に向かって、かつ該終端を超えたシース１４１２の移動に帰着する。
【０１３４】
当初は、シース１４１２はシース保持手段１４７０によって注射器１４００に対して固定される。それは図１４ｂに、より非常に詳しく示され、以下に述べられる。
【０１３５】
シース１４１２の終端１４２６は、実質的に注射器１４００上の点を備えたレベルであり、そのレベルで皮下注射針１４０２が始まるか、あるいは小さな距離で、例えばその点から後ろに１−５ｍｍ戻ったレベルで始まる。安全注射器装置１４０１がその拡張状態である場合、皮下注射針がすべて露出される。
【０１３６】
図１４〜１６の典型的な安全注射器装置１４０１では、シース１４１２はチャネル（１４７２ａ、１４７２ｂ）を含む（図示せず）。チャネル（１４７２ａ、１４７２ｂ）は安全プランジャー１４１０のアーム（１４１６ａ、１４１６ｂ）に相当し、安全プランジャー１４１０の内部のストローク中に各チャネル（１４７２ａ、１４７２ｂ）内にアーム（１４１６ａ、１４１６ｂ）のうちの１つが移動できるように構成される。
【０１３７】
図１４ｂで示されるように、典型的なシース保持手段１４７０はシース・ラッチ１４７４を含む。シース・ラッチ１４７４はシース保持リップ１４７６と係合される。典型的な安全注射器装置では、シース保持リップ１４７６は、注射器１４００に対して固定される取手部１４０６の一部であり得る。したがって、シース・ラッチ１４７４がシース保持リップ１４７６と係合されると、シースは注射器１４００に対して固定される。シース１４１２の天面は、取手部１４０６の下側と当接するか、あるいは注射器フランジ１４００のその下側に接するように修正され得る。シース・ラッチ１４７４は、付勢力によってシース保持リップ１４７６と係合された位置で保持され、この場合、シース・ラッチ１４７４が置かれる弾力的に変形可能なシースアーム１４７８によって提供される。複数のシース保持手段があり得る。例えばシース１４１２（および取手部１４０６）の対向側面で提供される。
【０１３８】
図１５ａは、安全プランジャー１４１０の内部のストローク上の点における安全注射器装置１４０１を示し、他の装置に対して上に記述されるように、前記点において安全プランジャー１４１０は注射器プランジャー１４０８から分断する。さらに、シース保持手段１４７０は解放され、これによってシース１４１２は、もはや注射器１４００に対して固定されず、これは注射器プランジャー１４０８から安全プランジャー１４１０が分断する点と同じ、安全プランジャー１４１０の内方ストロークの点で生じ得る。
【０１３９】
安全プランジャー１４１０はシース１４１２が注射器１４００と無関係に移動することができるように、シース保持手段１４７０を解放するように構成される。この目的のために、安全プランジャー１４１０は、フランジ（１４８０ａ、１４８０ｂ）を解放するシースを含み、該シースは、シース保持手段１４７０を解放するために、シース・ラッチ１４７４と連携するように構成される。具体的には、シースを解放するフランジ（１４８０ａ、１４８０ｂ）は角度のある表面を含み、安全プランジャー１４１０がシース保持リップ１４７６との係合でシース・ラッチ１４７４を保持する、付勢力を克服するために内方ストロークで移動すると、角度のある表面はシース・ラッチ１４７４と接触する。
【０１４０】
図１５ａで見られるように、アーム（１４１６ａ、１４１６ｂ）はシース１４１２のチャネル（１４７２ａ、１４７２ｂ）に受け入れられた。アーム（１４１６ａ、１４１６ｂ）の端面（１４８２ａ、１４８２ｂ）は図１５ａにおいて、チャネル（１４７２ａ、１４７２ｂ）の終端が除かれているように示される。シース１４１２と安全プランジャー１４１０を結合するために、その内方ストローク上の安全プランジャー１４１０の継続的な移動は、チャネル（１４７２ａ、１４７２ｂ）の終端端で端面（１４８２ａ、１４８２ｂ）間の接触色に帰着する。シース１４１２による結合後の安全プランジャー１４１０の継続的な移動は、注射器１４００の胴部の下への、および皮下注射針１４０２の上へのシース１４１２の移動に帰着する。
【０１４１】
安全プランジャー１４１０の内部のストローク上の第１の先端部（位置）でシース１４１２に安全プランジャー１４１０が結合し、安全プランジャー１４１０の内部のストローク上で別の先端部（位置）で注射器プランジャーから１４０８を分断することが注目される。さらに、安全プランジャー１４１０はその内方ストローク上で第３の点（位置）でシース保持手段をリリースするように構成される。しかしながら、用語「１」、「２」及び「３」は、この文脈で使用された時、順序を表示する必要はなく、２つの点が内方ストロークで到達する。典型的な安全注射器装置では、第１の点は、第２の点の前にあり得るか、第１の点は第２の点と同じであり得るか、或いは第１の点は第２の点の後にあり得る。
【０１４２】
安全プランジャー１４１０がその内方ストロークを終えたとき、図１６ａは使用後の安全注射器装置１４０１を示す。シース１４１２は皮下注射針１４０２を覆うために胴部の注射器１４００の端を越えて拡張される。
【０１４３】
図１６ｂで示されるように、安全プランジャー１４１０のアーム（１４１６ａ、１４１６ｂ）はシース１４１２のチャネル（１４７２ａ、１４７２ｂ）に延伸した。その結果アーム（１４１６ａ、１４１６ｂ）の端面（１４８２ａ、１４８２ｂ）がチャネル（１４７２ａ、１４７２ｂ）の終端と接触する。さらに、結合ロック係止手段１４８４はシース１４１２をロックし、安全プランジャー１４１０をロックする。図１６ｂの典型的な安全注射器装置１４０１では、カップリング係止手段１４８４は、アーム（１４１６ａ、１４１６ｂ）上のラッチを含み、アーム（１４１６ａ、１４１６ｂ）はチャネル（１４７２ａ、１４７２ｂ）中のリップと係合する。係合は、アーム（１４１６ａ、１４１６ｂ）の弾性エネルギによって加えられた、付勢力によって提供される。
【０１４４】
図１７は、ロック機構を含む注射器１７００に取り付けられた安全注射器装置１７０１を示し、ロック機構は、係止凹部１７８８を入力するように構成された突起１７８６を含む。装置１７０１および注射器１７００の特徴の多くは、他方の典型的な装置のうちのいずれに対しても上述されたものに似ている。そのため、それらの特徴は再びここで説明しない。また、対応する参照符号は図１７においてそれらを同定するために使用される。
【０１４５】
図１７の典型的なロック機構では、突起は注射器１７００の胴部１７０４に対して固定され、安全注射器装置１７０１は注射器１７００に取り付けら、係止凹部１７８６は安全プランジャー１７１０に位置づけられる。他の典型的なロック機構では、突起１７８６が安全プランジャー１７１０に位置づけられ得ること、ロック凹部１７８８が胴部１７０４に対して固定され得ることは注目される。さらに、突起１７８６あるいはロック凹部１７８８のうちの１つは、安全プランジャー１７１０に対向するようにシース１７１２に位置づけられ得る。図１７に示されるように、複数の突起および複数のロック凹部が存在しうる。
【０１４６】
突起１７８６は付勢力の下でロック凹部の方へ付勢される。図１７の典型的なロック機構では、付勢力は、突起１７８６中の弾性エネルギによって提供される。すなわち、突起１７８６は弾力的に変形可能な叉である。ロック凹部１７８８および突起１７８６が一致するとき、突起１７８６はロック凹部１７８８の方に付勢され、ロック凹部１７８８に入る。整列の前に、突起１７８６は、安全プランジャー１７１０のアーム（１７１６ａ、１７１６ｂ）の外表面に沿って乗る。したがって、突起１７８６は、アーム（１７１６ａ、１７１６ｂ）の外表面に対して付勢力を付与する。アーム（１７１６ａ、１７１６ｂ）に対するこの力は、その内方ストロークに沿った安全プランジャー１７１０の移動の間に摩擦を生成し、ユーザーによってその内方ストローク上の安全プランジャー１７１０を移動させるのに必要な力を増加させる。安全プランジャー１７１０が注射器プランジャーに結合されると、注射器プランジャーを移動させるのに必要な力も増加される。要求された力の増加は、注射器プランジャーの移動で減衰効果を持つと考えられ得る。
【０１４７】
図１０ａで示されるから動きデバイス１００９などのから動きデバイスを含む典型的な装置では、注射器プランジャーの移動の減衰は、注射器プランジャーの内部のストロークの初めのから動きデバイスを圧縮する可能性を減少させる際に利点を提供し得る。上述されるように、から動きデバイスは注射器の製造許容差を補うために注射器プランジャーの終わりに含まれ得る。この目的のために、注射器プランジャーの内方ストロークの終わりに必要なときに、から動きデバイスが圧縮されることは望ましい。しかしながら、大きな力が安全プランジャー１７１０（したがって注射器プランジャー）に加えられるならば、注射器１７００の胴部１７０４内の圧力において生じる急速な強化は、それが注射器１７００の製造公差を補うのを妨げ、から動きデバイスを圧縮し得る。安全プランジャー１７１０に摩擦力を加えることによって、ロック機構の突起１７８６は、安全プランジャー１７１０にユーザーによって加えられた力のいくらかを吸収し、したがって、胴部１７０４の内の液体に伝達された力の量を減らす。そのため、胴部内の圧力はそれほど増加しない。
そして、これは、から動きデバイスが注射器プランジャーの内部のストロークで初期に圧縮する可能性を減少させる。
【０１４８】
安全注射器装置１７０１が拡張され、それが格納され得る状態にあるとき、収納凹部１７９０は、突起１７８６を収容するための安全プランジャー１７１０に形成される。収容凹部は、長期にわたって突起１７８６の変形を防ぎ、その一方で安全注射器装置１７０１が収納納されている。これは、突起１７８６の弾性エネルギが維持されることを保証する。
【０１４９】
本明細書に開示された典型的な安全注射器は、被験者からの注射針の抜き取りの速度を制限し及び／又は制御する（例えば減少する）ための速度制御手段を含み得る。特定の典型的な安全注射器では、速度制御手段、注射器プランジャーから分断した後に安全プランジャーの降下速度を制限し及び／又は制御するように構成され得る。典型的な安全注射器では、注射針は、注射器プランジャーから分断された後、安全プランジャーに加えられた圧力に起因するシースによって被験者の皮膚に加えられた力によって被験者から抜き取られる。したがって、そのような分断後に安全プランジャーの移動速度を制限することは、注射器ニードルの抜き取り速度を制限し及び／マヤは制御することができる。
【０１５０】
そのような典型的な安全注射器は、注射器皮下注射針の速すぎる抜き取りの結果被験者によって感じられた不快を制限する。注射針の抜き取りの制限は、さらに抜き取り中に安全注射器のより大きな制御を可能にする。抜き取り速度が抑制されず、急変する場合、抜き取り後に注射部位のまわりの注射器の移動を引き起こし得、注射を受ける被験者にショックをもたらし得る。
【０１５１】
図（２１ｃ乃至１８ａ）を参照すると、典型的な安全注射器はその限界が示される、及び／又は被験者からの注射器ニードルの抜き取り速度を制御する。図（１８ａ−ｃ）および（１９ａ−ｃ）は１つの典型的な安全注射器１８００を示し、図（２０ａ−ｃ）及び（２１ａ−ｃ）は別の典型的な安全注射器２０００を示す。図（１８ａ−ｃおよび１９ａ−ｃ）の安全注射器の機能の多くは、同じか、あるいは本明細書に記述された他の典型的な安全注射器の機能に似ている。したがって、図（１８ａ−ｃおよび１９ａ−ｃ）の安全注射器の機能のすべてが、ここで記述されるとは限らない。次の説明の焦点は、既に上述されている特徴と異なる安全注射器の特徴にある。他の装置は追加された請求項の範囲内で意図され得る。
【０１５２】
図（１８ａ−ｃ）は、安全注射器１８００の動作の異なるステージにおける斜視図を示す。図（１９ａ−ｃ）は、動作の対応するステージにおいて安全注射器１８００を貫く部分を示す。
【０１５３】
図１８ａを参照すると、安全注射器１８００は速度制御手段を含む。速度制御手段は速度制御部材１８５１を含み、速度制御部材１８５１は第１のネジ１８５３と、該第１のネジ１８５３と係合するように構成された対応する第２のネジ１８５５を有する。
【０１５４】
速度制御手段は、被験者から針１８０２の抜き取りの速度を制限し及び／又は制御するように構成される。図１８ａの速度制御部材１８５１は、安全プランジャー１８１０の一部を形成し、注射器プランジャー１８０８と係合するように構成され、具体的には、示された速度制限部材部材１８５１は注射器プランジャー１８０８に伸びるように構成される。注射器プランジャー１８０８との速度制限部材の係合は、安全プランジャー１８１０と分断後の注射器プランジャー１８０８の間の相対運動の速度を制限し及び／又は制御するように構成される。図１８ａの典型的な安全注射器では、速度制限部材１８５１及び注射器プランジャー１８０８の間の係合は注射器プランジャー１８０８を入れることができる速度を制限し及び／又は制御するように構成される。
【０１５５】
速度制限部材１８５１は、注射器プランジャー１８０８の対応するネジ１８５５（図１９ａで示される）と係合するように構成されたネジ１８５３を含む。
【０１５６】
図（１８ａと１９ａ）のとおり、安全プランジャー１８１０および注射器プランジャー１８０８が結合されている間、安全プランジャー１８１０への力の適用時にともに移動する。
【０１５７】
図（１８ｂ及び１９ｂ）は、注射器プランジャー１８０８から安全プランジャー１８１０が分断する点を示す。
【０１５８】
分断後、安全プランジャー１８１０は注射器プランジャー１８０８に対して自由に移動することができ、注射器プランジャー１８０８が長手方向の運動に対して、実質的に静止しているままである間、安全注射器の針の終端に向かって移動する。安全プランジャー１８１０への更なる力の適用時に、注射器プランジャー１８０８から分断した後、図（１８ｃおよび１９ｃ）で示されるように、速度制限部材１８５１は注射器プランジャー１８０８内を移動し始める。速度制限部材１８５１のネジ１８５３は、回動力を与えるために注射器プランジャー１８０８中のネジ１８５５と連携する。回動力は安全注射器１８００の胴部１８０４内で注射器プランジャーを回転させる。
【０１５９】
胴部１８０４内の注射器プランジャー１８０８の回転は、栓１８５７と胴部１８０４の内表面の間の摩擦によって抵抗され、注射器プランジャー１８０８から分断した後に安全プランジャー１８１０の移動の速度を制限し、及び／又は制御する。
【０１６０】
栓１８５７は弾力的にゴム引きされた材料などの変形可能な材料から形成され得、胴部１８０４の内径よりわずかに大きい直径を有する。その結果、栓１８５７が胴部１８０４内に差し込まれたとき、シールが形成される。そのシールは、さらに胴部１８０４内の注射器プランジャー１８０８の回転運動に対する抵抗を提供し得る。代替的にあるいは追加的に、ネジ（１８５３と１８５５）はネジ自体（１８５３と１８５５）間の摩擦によって注射器プランジャー１８０８の回転運動に抵抗するように構成され得る。ネジ（１８５３と１８５５）の連携表面は特別の摩擦推力を提供するように構成され得る。代替的にあるいは追加的に、注射器プランジャー１８０８は栓１８５７に固定されない可能性があり、自由にそこで回転可能であり得る。そのような配列では、少なくとも注射器プランジャー１８０８の回転に抵抗する力の一部は、注射器プランジャー１８０８と栓１８５７の間の摩擦によって提供され得る。
【０１６１】
図２０ａは、取手部１８１１の端面図を示す。図２０ｂは、取手部１８１１を部分的に通過した注射器プランジャー１８０８の斜視図を示す。図２０ｃは、取手部１８１１を完全に通過した、注射器プランジャー１８０８を貫いた部分を示す。明瞭のために、図（２０ａ−ｃ）は、安全注射器１８００の他の特徴を示さない。
【０１６２】
典型的な装置では、安全プランジャー１８１０は、少なくともその内方ストロークの一部に沿った注射器プランジャー１８０８の回転を妨げるように構成された回転阻止部材１８６０によって注射器プランジャー１８０８に結合され得る。速度制限部材１８５１（および典型的な装置ではネジ１８５３）に加えられた力の下での注射器プランジャー１８０８の回転が妨げられると、注射器プランジャー１８０８は、安全プランジャー１８１０に加えられた力の下でその内方ストロークに沿って移動する。したがって、それらが内方（あるいは外方）ストローク上でともに移動すると、注射器プランジャー１８０８および安全プランジャー１８１０は連結される。
【０１６３】
典型的な装置では、回転阻止部材１８６０は、安全注射器１８００の取手部１８１１のキー付の隙間１８６２を含み得る。キー付の隙間１８６２は注射器プランジャー１８０８のキーの特徴（１８６６ａ−ｂ）に相当するキーの特徴（１８６４ａ−ｂ）を含む。その結果、注射器プランジャー１８０８の回転は妨げられ、図２０ｂで示されるように、注射器プランジャー１８０８のキーの特徴（１８６６ａ−ｂ）が取手部１８１１のキーの特徴（１８６４ａ−ｂ）と係合する。
【０１６４】
注射器プランジャー１８０８が回転阻止部材１８６０から解放されるとき、注射器プランジャー１８０８は安全プランジャー１８１０から分断する。典型的な装置では、これは、取手部１８１１のキーの特徴（１８６４ａ−ｂ）ともはや係合しない、注射器プランジャー１８０８のキーの特徴１８６６ａ−ｂによって提供され得る。例えば、注射器プランジャー１８０８はその長さの部分のみに亘ってキーの特徴（１８６６ａ−ｂ）を含み得、それらのキーの特徴（１８６６ａ−ｂ）が一旦隙間１８６２を通過すると、注射器プランジャー１８０８は自由に回転することが可能である。代替的に、図２０ａ−ｃで示されるように、それが隙間１８６２を通過することができるように、注射器プランジャー１８０８のヘッド部１８６８が構成され得る。典型的な注射器プランジャー１８０８では、ヘッド部１８６８は、キーの特徴（１８６６ａ−ｂ）を含む注射器プランジャー１８０８の領域と同じ断面を有し得る。したがって、図の中で２０ｃ示されるように、注射器プランジャー１８０８は隙間１８６２を完全に通過するように構成される。注射器プランジャー１８０８が隙間１８６２を通過するとき、注射器プランジャー１８０８のキーの特徴（１８６６ａ−ｂ）は、もはや隙間１８６２のキーの特徴（１８６４ａ−ｂ）と係合されず、注射器プランジャー１８０８は自由に回転することができる。この点で、注射器プランジャー１８０８および安全プランジャー１８１０は分断される。
【０１６５】
本明細書に使用されるように、「分断された」という用語は如何なる状況も包含することは注目され、相対運動が注射器プランジャーと安全プランジャーの間で許される。特定の装置では、相対運動は相対的な長手方向の運動であり得る。これは本明細書に開示されたすべての装置に当てはまる。すなわち、それから分断されるためには安全プランジャーから注射器プランジャーを分断されるか、分離される必要はない。さらに、分断後にその内方（あるいは外方）ストロークに沿った安全プランジャーの移動がまだ存在しうるが、安全プランジャーと注射器プランジャーの間の移動の速度間に違いがある。例えば、図１８ａ−ｃおよび１９ａ−ｃの装置では、分断の後に胴部内の回転運動と同様に内方ストロークに沿った注射器プランジャーの長手方向の運動も存在し得る。
【０１６６】
図２１を参照して、典型的な安全注射器２０００が示され、安全プランジャー２０１０および注射器プランジャー２００８の分断後に被験者から針２００２の抜き取り速度を制限し及び／又は制御するように構成される。安全注射器は速度制御手段（２０５１ａ、２０５１ｂ）を含み、速度制御手段（２０５１ａ、２０５１ｂ）は、分断後にその内部のストロークに沿った安全プランジャー２０１０の移動速度を制限し及び／又は制御するように構成される。速度制御手段（２０５１ａ、２０５１ｂ）は弾力的に変形可能な速度制御突起２０５１ａおよび変形表面２０５１ｂを含む。速度制御突起２０５１ａは、安全注射器２０００の前後軸の内方に向かって取手部２００６および突起に位置づけられる。速度制御突起２０５１ａは、図１７に示される突起１７８８と同じか、類似しているかもしれない。
【０１６７】
変形表面２０５１ｂは、速度制御突起２０５１ａが変形表面２０５１ｂを通過すると、速度制御突起２０５１ａを変形するように構成される。典型的な安全注射器２０００では、変形表面２０５１ｂは安全プランジャー２０１０に位置づけられ、速度制御突起２０５１ａを変形するように構成される。その結果、分断後にその内方ストロークに沿った安全プランジャー２０１０を移動させるために要求される力は増加される。図２１および２２の典型的な安全注射器２０００では、変形表面は、安全注射器２０００の前後軸から外側に離れて伸びるタブを含む。典型的な安全注射器２０００では、タブは安全プランジャー２０１０の各アーム（２１１６ａ、２１１６ｂ）に位置づけられる。タブにはそれぞれ対応する速度制御突起２０５１ａがある。タブは、速度制御突起２０５１ａが注射器プランジャー２００８から安全プランジャー２０１０の分断後に変形表面２０５１ｂによって変形されるように位置付けられる。このように、被験者からの針２００２の抜き取りの速度が制御される得、例えば、減少される。
【０１６８】
安全注射器２０００の動作は、図２２ａ−ｃに対して記述される。図２２ａでは、安全注射器２０００は、拡張状態で、および安全プランジャー２０１０および注射器プランジャー２００８と結合された状態で示される。速度制御突起２０５１ａ、凹部２０５９に位置する。これは、拡張状態で安全注射器２０００をロックする効果がある。凹部２０５９は、安全注射器２０００の一層の拡張を防ぎ、かつ安全プランジャー２０１０および注射器プランジャー２００８の内方ストロークが始まり得る前にしきい値を克服する、最初の力をさらに要求するように構成される。
【０１６９】
しきい力が克服された後、速度制御突起２０５１ａは変形され、安全プランジャー２０１０および注射器プランジャー２００８はそれらの内方ストロークに沿って移動し始める。内方ストロークに沿った点では、安全プランジャー２０１０および注射器プランジャー２００８は、上述されたすべての方法を使用して分断されるようになる。
【０１７０】
図２２ｂでは、安全注射器２０００は分断および速度制御突起２０５１ａが変形表面２０５１ｂに接して示された僅かに後で示される。速度制御突起２０５１ａは変形表面２０５１ｂによって更に変形され、したがって、変形表面２０５１ｂを介して安全プランジャー２０１０のアーム（２１１６ａ、２１１６ｂ）に力を付与する。アーム（２１１６ａ、２１１６ｂ）上の速度制御突起２０５１ａによって加えられた増加した力は、速度制御突起２０５１ａと変形表面２０５１ｂの間の摩擦を増加させ、被験者からの針２００２の抜き取り速度は、そのために制限され、及び／又は生後される。
【０１７１】
図２２ｃで、安全注射器２０００はその内方ストロークを終え、速度制御突起２０５１ａは変形表面２０５１ｂを通過し、アーム（２１１６ａ、２１１６ｂ）上の係止凹部２０６１内にはめる。ロック凹部２０６１は安全プランジャー２０１０の外側への移動（つまり拡張）を防ぐように構成される。
【０１７２】
典型的な安全注射器および安全注射器装置は組立てのための部品のキットとして提供され得る。部品のキットは、組立てのための複数の要素部品を含み得、あるいはあらかじめ組み立てられる１つ以上の複合部品（あるいは組立部品）を含むことができる。
【０１７３】
広くは、本明細書に示された典型的な装置は４つの部品を含み得る：すなわち、安全プランジャー、注射器プランジャー、取手部、およびシースである。これらの部品は単一の成型された要素であり得るか、あるいは複数の成型された要素から構成されるかもしれない。４つの部品は１つ以上の組立部品として提供され得る。
【０１７４】
例えば、安全プランジャー、注射器プランジャーおよび取手部は第１の組立部品として提供され得る。第１の組立部品はシースと共に部品のキットで提供され得る。そのような構成では、安全注射器は、第１の組立部品へあらかじめ負荷をかける注射器の胴部を位置づけて組立てられ、次に、第１の組立部品にシースを接続することにより組み立てら得る。
代替的に、注射器の胴部はシース内に位置付けられ得、シースは第１の組立部品に接続され得る。
【０１７５】
他の例において、安全プランジャーおよび注射器プランジャーは第２の組立部品として提供され得る。第２の組立部品は、部品のキットで取手部およびシースと共に提供され得る。そのような配列では、安全注射器は取手部に第２の組立部品を接続し、取手部および第２の組立部品にあらかじめ負荷をかけた注射器の胴部を位置づけ、次に、取手部および秒組立部品にシースを接続することにより組み立てられ得る。代替的に、注射器の胴部はシース内に位置付けられ得、シースは取手部および第２の組立部品に次に接続され得る。
【０１７６】
別の例において、４つの部品の各々は、部品のキットとして別々に供給され得る。そのような配列では、安全プランジャー、注射器プランジャーおよび取手部はすべてともに接続され得る。あらかじめ負荷をかけた注射器の胴部は、組み立てられた安全プランジャー、注射器プランジャーおよび取手部に接続され得、シースは、組み立てられた安全プランジャー、注射器プランジャーおよび取手部に接続され得る。代替的に、注射器の胴部はシース内に位置付けられ得、シースは、組み立てられた安全プランジャー、注射器プランジャーおよび取手部に接続され得る。
【０１７７】
本明細書に記述された様々な典型的な安全注射器は、拡張状態で安全注射器をロックするために係止手段を提供する。安全注射器は、薬剤と共に予め負荷をかけられ、拡張状態で医療従事者に供給され得る。安全プランジャーおよび注射器プランジャーがロック手段によって一層の拡張を妨げられるので、係止手段は安全プランジャー及び／又は注射器プランジャーによって医療従事者が安全注射器を扱うことを可能にする。
【０１７８】
ロック手段は、さらに典型的な安全注射器が自己不能にすることを可能にする。そのような安全注射器は、栓に物理的に接続されない注射器プランジャーを含むかもしれない。もっと正確に言えば、注射器プランジャーの終端は付けられずに、栓に接する。この構成では、注射器プランジャーは胴部のコンテンツを放出するために注射器の胴部に栓を押し込むことができる。しかし、注射器プランジャーが胴部から引っ込めると、それは栓から解除にされ胴部に残される。栓が胴部内に閉じ込められるので、そのような安全注射器は再度使用することができず、したがって、自己不能にすることが考慮される。様々な典型的な安全注射器で提供される係止手段は自己不能にする特徴を可能にする、なぜなら注射器プランジャーを係止手段が可能にするよりさらに拡張することができず、したがって、それに固定される必要なしに、栓に接して保持されるからである。
【０１７９】
上述され、図面で示される典型的な装置の特徴の多くが、他の典型的な装置に含まれ得ることは注目される。そのため、異なる図面は、個別の実施形態と必ずしも見なすことができない。また、１つの図面からの特徴は別の図面中の装置に移され得る。注射器に適合するために、安全注射器装置の中で本明細書に記述された安全注射器の特徴のいずれにも使用されてもよいことはさらに注目される。
【０１８０】
当業者は添付の特許請求の範囲から逸脱せずに、他の安全注射器およびその特徴を想到することができるだろう。
当業者によって評価されるとともに他の図面中で示される安全注射器に１つ以上の図面に含まれた１つ以上の機能が統合されるかもしれないことは特に注目される。
【図１】
2017523821.tif 000003
【図２ａ】
2017523821.tif 000004
【図２ｂ】
2017523821.tif 000005
【図３ａ】
2017523821.tif 000006
【図３ｂ】
2017523821.tif 000007
【図４ａ】
2017523821.tif 000008
【図４ｂ】
2017523821.tif 000009
【図５ａ】
2017523821.tif 000010
【図５ｂ】
2017523821.tif 000011
【図６ａ】
2017523821.tif 000012
【図６ｂ】
2017523821.tif 000013
【図７】
2017523821.tif 000014
【図８】
2017523821.tif 000015
【図９】
2017523821.tif 000016
【図１０】
2017523821.tif 000017
【図１０ａ】
2017523821.tif 000018
【図１１】
2017523821.tif 000019
【図１２】
2017523821.tif 000020
【図１３】
2017523821.tif 000021
【図１３ａ】
2017523821.tif 000022
【図１３ｂ】
2017523821.tif 000023
【図１４】
2017523821.tif 000024
【図１５】
2017523821.tif 000025
【図１６】
2017523821.tif 000026
【図１７】
2017523821.tif 000027
【図１８（ａ）】
2017523821.tif 000028
【図１８（ｂ）】
2017523821.tif 000029
【図１８（ｃ）】
2017523821.tif 000030
【図１９（ａ）】
2017523821.tif 000031
【図１９（ｂ）】
2017523821.tif 000032
【図１９（ｃ）】
2017523821.tif 000033
【図２０（ａ）】
2017523821.tif 000034
【図２０（ｂ）】
2017523821.tif 000035
【図２０（ｃ）】
2017523821.tif 000036
【図２１（ａ）】
2017523821.tif 000037
【図２１（ｂ）】
2017523821.tif 000038
【図２１（ｃ）】
2017523821.tif 000039
【図２２（ａ）】
2017523821.tif 000040
【図２２（ｂ）】
2017523821.tif 000041
【図２２（ｃ）】
2017523821.tif 000042
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
安全注射器であって、
その終端で開口部を有する胴部、
前記開口部から前記胴部内の物質を出すために前記胴部内に移動するように構成された注射器プランジャー、
前記注射器プランジャーに結合された安全プランジャーであって、これによって該安全プランジャーの内方ストロークが前記胴部内に前記注射器プランジャーを移動させる安全プランジャー、および
前記安全注射器の使用後に前記胴部の開口部を少なくとも部分的に覆うように構成されたシース、とを含み、
前記安全プランジャーは前記シースに結合され、内方ストローク上の点で前記安全プランジャーが注射器プランジャーと無関係に移動可能となるように前記注射器プランジャーから分断するように構成され、
前記安全プランジャーの分断後の更なる移動が、前記胴部の開口部をシースに少なくとも部分的に覆わせ、
前記安全注射器は更に、分断後に前記安全プランジャーの移動速度を制御するための速度制御手段を含み、前記速度制御手段は、前記安全プランジャーに結合され、前記注射器プランジャーと係合するように構成された速度制限部材を含み、前記速度制限部材は、第１のネジと、第２のネジを含む前記注射器プランジャーを備え、該第２のネジは分断の後に前記安全プランジャーの移動中の注射器プランジャーを回転させるために、前記第１のネジと係合するように構成されてなる、安全注射器。
【請求項２】
前記安全プランジャーは、その内方ストローク中に前記胴部の外部に沿って移動し、前記シースが、前記胴部の開口部を通る点で、或いはその点の前で注射器プランジャーから分断するように構成されてなる請求項１に記載の安全注射器。
【請求項３】
分断は前記注射器プランジャーが前記胴部の終端に実質的に達した点である、請求項１又は２に記載の安全注射器。
【請求項４】
前記安全プランジャーと前記注射器プランジャーを分断するように構成される分断機構をさらに含む、請求項１乃至３のいずれかに記載の安全注射器。
【請求項５】
前記分断機構は安全プランジャーに対する前記注射器プランジャーの回転下で前記安全プランジャーおよび注射器プランジャーを分断するように構成される、請求項４に記載の安全注射器。
【請求項６】
前記分断機構はその内方ストローク上の安全プランジャーに加えられた力を介して前記安全プランジャーと注射器プランジャーを分断するように構成される、請求項４または５に記載の安全プランジャー。
【請求項７】
前記分断機構は、前記安全プランジャーの結合凹部との係合及び解除の間に移動するように構成された注射器プランジャー上の突起を含む、請求項４乃至６のいずれかに記載の安全注射器。
【請求項８】
前記注射器プランジャーの突起は前記安全プランジャーに対する注射器プランジャーの回転による安全プランジャーの前記結合凹部から解放するように構成される、請求項７に記載の安全注射器。
【請求項９】
前記注射器プランジャーの本体は、プランジャーを回転させる反動表面と係合するように構成された回転表面を含み、前記反動表面は前記胴部に対して固定される、請求項８に記載の安全注射器。
【請求項１０】
前記胴部の開口部を少なくとも部分的に覆う位置でシースをロックするように構成されたロック機構をさらに含む、請求項１乃至９のいずれかに記載の安全注射器。
【請求項１１】
前記ロック機構は、前記安全プランジャーの突起およびリターン凹部を含み、前記突起は安全プランジャーの内部ストロークの終端でリターン凹部と係合するように構成される、請求項５乃至７のいずれかに従属する場合の、請求項１０に記載の安全注射器。
【請求項１２】
前記ロック機構は付勢されたロック機構であり、前記安全注射器は更に付勢部材を含んでおり、該付勢部材は注射器プランジャーの外方への移動および逆回転により突起をリターン凹部へ移動させる付勢力を提供するように構成される、請求項１１に記載の安全注射器。
【請求項１３】
前記付勢部材は弾力的に変形可能な注射器プランジャチップを含み、該注射器プランジャチップは、開口部を含む終端部近位の胴部の内表面を圧縮するように構成される、請求項１２に記載の安全注射器。
【請求項１４】
前記注射器プランジャーの全逆転を防ぐために前記リターン凹部の側方の範囲は結合凹部の側方の範囲未満である、請求項１２または１３に記載の安全注射器。
【請求項１５】
前記安全注射器は、実質的に長手方向のチャネルによって接続している結合凹部およびリターン凹部を含む、ロックチャネルを含み、前記ロックチャネルは付勢されたロック機構の作動中に突起をガイドするように構成される、請求項１２乃至１４のいずれかに記載の安全注射器。
【請求項１６】
前記突起は安全プランジャーの内方ストロークが終わってから実質的に長手方向のチャネルの終端と接触するように構成され、これによって、前記注射器プランジャーの弾力的に変形可能な先端を圧縮する、請求項１５に記載の安全注射器。
【請求項１７】
前記ロック機構は、ロック凹部に入るように構成された突起を含み、前記突起と前記ロック凹部のうちの一方は前記胴部および突起の他方に対して固定され、その結果、前記突起が前記ロック凹部内に位置づけられたとき、前記シースが前記胴部の開口部を少なくとも部分的に覆ってロックされるように、前記ロック凹部は前記安全プランジャーあるいは前記シースに位置づけられる、請求項１０乃至１６のいずれかに記載の安全注射器。
【請求項１８】
前記突起は、前記突起と前記ロック凹部の一致の際に前記ロック凹部に付勢されるように、前記突起が前記ロック凹部の方へ付勢されてなる請求項１７に記載の安全注射器。
【請求項１９】
少なくとも安全プランジャーの内方ストロークの一部の間で、前記突起は、前記突起と前記ロック凹部が一致するまで、表面上を乗るように構成され、前記ロック凹部への前記突起の付勢が内方ストローク中に前記安全プランジャーに摩擦力を付与する、請求項１８に記載の安全注射器。
【請求項２０】
前記突起は弾力的に変形可能な叉を含む、請求項１７乃至１９のいずれかに記載の安全注射器。
【請求項２１】
分断の前に前記注射器プランジャーの回転を妨げるように構成された回転阻止部材をさらに含む、請求項１乃至２０のいずれかに記載の安全注射器。
【請求項２２】
前記回転阻止部材は、前記注射器プランジャーが通過する隙間を含み、前記隙間は第１のキーの特徴を含み、該第１のキーの特徴は、前記注射器プランジャーの第２の特徴に対応させるように構成されてなる、請求項２１に記載の安全注射器。
【請求項２３】
前記注射器プランジャーは、前記第２のキーの特徴が前記第１のキーの特徴から解除して、前記安全プランジャーから前記注射器プランジャーを分断するように構成される、請求項２２に記載の安全注射器。
【請求項２４】
前記注射器プランジャーは前記注射器プランジャーが前記安全プランジャーから分断されるときに、前記隙間を完全に通過するように構成される、請求項２２に記載の安全注射器。
【請求項２５】
前記胴部内で弾力的に変形可能な栓をさらに含む、請求項１乃至２４のいずれかに記載の安全注射器。
【請求項２６】
前記弾力的に変形可能な栓は前記注射器プランジャーが回転するとき回転するように構成され、前記栓は前記胴部の内径より大きな直径を有し、これにより摩擦力が前記栓および前記注射器プランジャーの回転に抵抗する請求項２５に記載の安全注射器。
【請求項２７】
前記弾力的に変形可能な栓は弾力的に変形可能な前記栓と前記注射器プランジャーの間の相対回転を可能にするように構成され、前記注射器プランジャーと弾力的に変形可能な栓の間の摩擦力は、前記栓および前記注射器プランジャーの回転に抵抗する、請求項２５または２６に記載の安全注射器。
【請求項２８】
前記速度制御手段は、分断後に変形表面によって変形されるように構成された弾力的に変形可能な速度制御突起を含み、これによって、前記安全プランジャーの更なる移動に抵抗する摩擦力を生成する、請求項１乃至２７のいずれかに記載の安全注射器。
【請求項２９】
前記弾力的に変形可能な速度制御突起は、前記安全注射器の前後軸の方へ放射状に内方に突出し、前記変形表面は前記安全プランジャーに置かれ、前記安全注射器の前後軸から外側に離れて延びるタブを含む、請求項２８に記載の安全注射器。
【請求項３０】
前記安全プランジャーは前記注射器プランジャーのヘッド部を越えて延び、前記安全プランジャーのヘッド部は少なくとも１つのアームを含み、前記安全プランジャーのヘッド部は、前記安全プランジャーの内方ストロークを引き起こすためにユーザーによって力を加えるためのものである、請求項１乃至２９のいずれかに記載の安全注射器。
【請求項３１】
前記注射器プランジャーのヘッド部と前記安全プランジャーのヘッド部の間に位置づけられたガード部を更に含む、請求項３０に記載の安全注射器。
【請求項３２】
前記ガード部は、前記安全プランジャーのヘッド部と注射器プランジャーのヘッド部の間に伸びるロッドを含み、前記ロッドは前記安全プランジャーおよび前記注射器プランジャーの分断の後に前記注射器プランジャーに入るように構成される、請求項３１に記載の安全注射器。
【請求項３３】
前記胴部の開口部に接続された皮下注射針をさらに含み、前記シースは前記注射器の使用後に前記皮下注射針を少なくとも部分的に覆うように構成される、請求項１乃至３２のいずれかに記載の安全注射器。
【請求項３４】
注射器と共に使用するための安全注射器装置であって、
前記注射器は、その終端で開口部を有する胴部と、該開口部から該胴部内の物質を出すために該胴部内に移動するように構成された注射器プランジャーを含み、
前記安全注射器装置は、
前記注射器プランジャーに結合されるように構成された安全プランジャーであって、
これによって安全プランジャーの内部ストロークが注射器プランジャーを胴部内に移動させる安全プランジャー、および
注射器の使用の後に胴部の開口部を少なくとも部分的に覆うように構成されたシースと、を含み、
前記安全プランジャーはシースに結合され、内方ストローク上の点で注射器プランジャーから分断するように構成され、これによって前記安全プランジャーが注射器プランジャーと無関係に移動可能であり、
前記安全プランジャーは、分断後の安全プランジャーの更なる移動により、シースが胴部の開口部を少なくとも部分的に覆うように構成され、前記安全プランジャーは、速度制限部材をさらに含み、該速度制限部材は分断の後に前記安全プランジャーの移動速度を制御するための速度制御手段の一部を形成し、前記速度制限部材は、分断の後に注射器プランジャーと係合するように構成され、分断の後に前記安全プランジャーの更なる移動中の注射器プランジャーを回転させるために、前記注射器プランジャー上で、第２のねじと係合するように構成された第１のねじを含む、注射器と共に使用するための安全注射器装置。
【請求項３５】
部品のキットであって、
安全プランジャーの内方ストロークが胴部内に該注射器プランジャーを移動させるように、注射器の注射器プランジャーに結合されるように構成された安全プランジャー、及び、
注射器の使用の後に前記注射器の胴部の開口部を少なくとも部分的に覆うように構成されたシース、を含み、
前記安全プランジャーはシースに結合されるように構成され、内方ストローク上の点で前記安全プランジャーが注射器プランジャーと無関係に移動可能なように前記注射器プランジャーから分断するように構成され、分断後に、前記安全プランジャーの更なる移動によって、前記シースが胴部の開口部を少なくとも部分的に覆い、前記安全プランジャーは、分断後に前記安全プランジャーの移動速度を制御するために速度制御手段の一部を形成する速度制限部材をさらに含み、
前記速度制限部材は、分断後に注射器プランジャーと係合するように構成され、分断後に前記安全プランジャーの更なる移動で注射器プランジャーを回転させるために、注射器プランジャーの第２のネジと係合するように構成された第１のネジを備えてなる、部品のキット。
【請求項３６】
前記胴部に結合され、かつ前記安全プランジャーを受け入れるように構成された取手部をさらに含み、これによって安全プランジャーが取手部を通過することができる、請求項３５に記載の部品のキット。
【請求項３７】
さらに注射器プランジャーを含む、請求項３５または３６に記載の部品のキット。
【請求項３８】
さらに注射器を含む、請求項３５乃至３７のいずれかに記載の部品のキット。
【請求項３９】
部品のキットであって、
安全プランジャー；
注射器プランジャーであって、前記安全プランジャーが前記安全プランジャーの内方ストロークが注射器の胴部内に注射器プランジャーを移動させるように、注射器プランジャーに結合される注射器プランジャー、
前記注射器の使用後に胴部の開口部を少なくとも部分的に覆うように構成されたシースを備え、
前記安全プランジャー、前記注射器プランジャーおよび前記シースが接続されるとき、前記安全プランジャーはシースに結合され、かつ内方ストローク上の点で安全プランジャーが前記注射器プランジャーから注射器プランジャーと無関係に移動可能に分断するように、前記安全プランジャーが構成され、
分断後の前記安全プランジャーの更なる移動によってシースが胴部の開口部を少なくとも部分的に覆うようにさせ、前記安全プランジャーは、速度制限部材をさらに含み、該速度制限部材は分断の後に前記安全プランジャーの移動速度を制御するための速度制御手段の一部を形成し、前記速度制限部材は、分断の後に注射器プランジャーと係合するように構成され、分断後に安全プランジャーの更なる移動中の注射器プランジャーを回転させるために、注射器プランジャーの第２のネジと係合するように構成された第１のねじを含む、部品のキット。
【請求項４０】
安全プランジャーに接続され、かつ安全プランジャーが通り抜けることを可能にするように構成された取手部をさらに含む、請求項３９に記載の部品のキット。
【請求項４１】
部品のキットであって、
安全プランジャーおよび注射器プランジャーを含む組立部品であって、前記安全プランジャーの内方ストロークによって注射器の胴部内に注射器プランジャーを移動させるために注射器プランジャーに結合されてなる組立部品、および
注射器の使用の後に胴部の開口部を少なくとも部分的に覆うように構成されたシースと、を含み、
前記組立部品とシースが接続されるとき、安全プランジャーは、シースに結合されるように、かつ内方ストローク上の点で安全プランジャーが前記注射器プランジャーから注射器プランジャーと無関係に移動可能に分断するように構成され、
分断後の前記安全プランジャーの更なる移動によってシースが胴部の開口部を少なくとも部分的に覆うようにさせ、
前記組立部品が、分断の後に前記安全プランジャーの移動速度を制御するために速度制御手段をさらに含み、
前記速度制御手段は、前記安全プランジャーに結合され、前記注射器プランジャーと係合するように構成された速度制限部材を含み、
前記速度制限部材は第１のねじと前記注射器プランジャーを含み、前記注射器プランジャーは第２のネジを含み、前記第２のネジは分断の後の前記安全プランジャーの移動中の注射器プランジャーを回転させるために、前記第１のねじと係合するように構成される、部品のキット。
【請求項４２】
前記組立部品は、前記安全プランジャーが通過することを可能にするように構成された取手部をさらに含む、請求項４１に記載の部品のキット。
【国際調査報告】
2017523821.tif 000043
2017523821.tif 000044
2017523821.tif 000045